(57)【特許請求の範囲】
【請求項１】
ユーザのユーザ情報に基づいて所定の順序が決定される複数のコンテンツを受信する受信部と、
前記受信部によって受信された複数のコンテンツであって、評価が指定可能に表示されたコンテンツに対する前記ユーザの評価を受け付けるのに合わせて、当該コンテンツの次順位のコンテンツが表示される複数のコンテンツを前記所定の順序に従って一つずつ表示する表示部と、
を備え、
前記表示部は、表示したコンテンツを前記ユーザが指定した状態において、所定の方向に移動させた場合に一の評価として受け付けるとともに次のコンテンツを表示し、前記所定の方向とは反対方向に閾値以上移動させた場合に他の評価として受け付けるとともに次のコンテンツを表示する
ことを特徴とする端末装置。
【請求項２】
端末装置が実行する表示方法であって、
ユーザのユーザ情報に基づいて所定の順序が決定される複数のコンテンツを受信する受信工程と、
前記受信工程によって受信された複数のコンテンツであって、評価が指定可能に表示されたコンテンツに対する前記ユーザの評価を受け付けるのに合わせて、当該コンテンツの次順位のコンテンツが表示される複数のコンテンツを前記所定の順序に従って一つずつ表示する表示工程と、
を含み、
前記表示工程は、表示したコンテンツを前記ユーザが指定した状態において、所定の方向に移動させた場合に一の評価として受け付けるとともに次のコンテンツを表示し、前記所定の方向とは反対方向に閾値以上移動させた場合に他の評価として受け付けるとともに次のコンテンツを表示する
ことを特徴とする表示方法。
【請求項３】
ユーザのユーザ情報に基づいて所定の順序が決定される複数のコンテンツを受信する受信手順と、
前記受信手順によって受信された複数のコンテンツであって、評価が指定可能に表示されたコンテンツに対する前記ユーザの評価を受け付けるのに合わせて、当該コンテンツの次順位のコンテンツが表示される複数のコンテンツを前記所定の順序に従って一つずつ表示する表示手順と、
を端末装置に実行させ、
前記表示手順は、表示したコンテンツを前記ユーザが指定した状態において、所定の方向に移動させた場合に一の評価として受け付けるとともに次のコンテンツを表示し、前記所定の方向とは反対方向に閾値以上移動させた場合に他の評価として受け付けるとともに次のコンテンツを表示する
ことを特徴とする表示プログラム。
【請求項４】
ユーザのユーザ情報に基づいて複数のコンテンツに関する順序を決定する決定部と、
前記決定部によって決定された順序で一つずつ表示される前記複数のコンテンツであって、評価が指定可能に表示された各コンテンツに対する前記ユーザの評価を受け付けるのに合わせて、当該コンテンツの次順位のコンテンツが表示される前記複数のコンテンツを前記ユーザの端末装置に配信する配信部と、
を備え、
前記配信部は、前記ユーザの端末装置に表示されたコンテンツを前記ユーザが指定した状態において、所定の方向に移動させた場合に一の評価として受け付けるとともに次のコンテンツが表示され、前記所定の方向とは反対方向に閾値以上移動させた場合に他の評価として受け付けるとともに次のコンテンツが表示されるコンテンツを配信する
ことを特徴とする配信装置。
【請求項５】
前記配信部は、
各コンテンツに対する前記ユーザの好き嫌いのいずれかの感情を示す評価が指定可能な状態で表示される前記複数のコンテンツを前記ユーザの端末装置に配信する、
ことを特徴とする請求項４に記載の配信装置。
【請求項６】
前記決定部は、
前記ユーザ情報に基づいて、所定のコンテンツ群から前記複数のコンテンツを抽出するとともに、当該複数のコンテンツに関する順序を決定する、
ことを特徴とする請求項４又は請求項５に記載の配信装置。
【請求項７】
前記決定部は、
前記ユーザ情報として、前記ユーザの位置情報を用いる、
ことを特徴とする請求項４〜６のいずれか１項に記載の配信装置。
【請求項８】
前記決定部は、
前記ユーザ情報として、前記ユーザの位置情報により推定される前記ユーザの生活圏に関する情報を用いる、
ことを特徴とする請求項７に記載の配信装置。
【請求項９】
前記決定部は、
前記ユーザ情報として、前記ユーザの属性情報を用いる、
ことを特徴とする請求項４〜８のいずれか１項に記載の配信装置。
【請求項１０】
前記決定部は、
前記ユーザ情報として、前記ユーザのデモグラフィック属性に関する情報と前記ユーザのサイコグラフィック属性に関する情報とのうち少なくとも１つを用いる、
ことを特徴とする請求項９に記載の配信装置。
【請求項１１】
前記決定部は、
前記ユーザ情報として、前記各コンテンツに対するユーザの評価に基づいて、新たな複数のコンテンツに関する順序を決定し、
前記配信部は、
前記決定部によって決定された順序で表示される前記新たな複数のコンテンツを前記ユーザの端末装置に配信する、
ことを特徴とする請求項４〜１０のいずれか１項に記載の配信装置。
【請求項１２】
前記決定部は、
前記各コンテンツが前記端末装置に表示されてから当該コンテンツに対する評価が前記ユーザによって指定されるまでの時間に基づいて、前記新たな複数のコンテンツに関する順序を決定する、
ことを特徴とする請求項１１に記載の配信装置。
【請求項１３】
前記決定部は、
前記各コンテンツに対する評価が指定されたときの当該コンテンツにおける表示態様に基づいて、前記新たな複数のコンテンツに関する順序を決定する、
ことを特徴とする請求項１１又は請求項１２に記載の配信装置。
【請求項１４】
前記配信部は、
前記ユーザの操作により表示可能な範囲が段階的に変化するコンテンツを配信し、
前記決定部は、
前記コンテンツに対する評価が指定されたときの当該コンテンツにおける表示可能な範囲に基づいて、前記新たな複数のコンテンツに関する順序を決定する、
ことを特徴とする請求項１３に記載の配信装置。
【請求項１５】
前記配信部は、
前記端末装置において表示されたコンテンツに対して所定の評価が指定された場合、当該コンテンツに関連する広告コンテンツを前記ユーザの端末装置に配信する、
ことを特徴とする請求項４〜１４のいずれか１項に記載の配信装置。
【請求項１６】
前記決定部は、
前記複数のコンテンツのうち、時間的な制限が現在日時に近い情報を含むコンテンツほど前記順序を早くする、
ことを特徴とする請求項４〜１５のいずれか１項に記載の配信装置。
【請求項１７】
前記決定部は、
各コンテンツの関係性に基づいて、前記複数のコンテンツに関する順序を決定する、
ことを特徴とする請求項４〜１６のいずれか１項に記載の配信装置。
【請求項１８】
前記決定部は、
所定のコンテンツの後に、当該所定のコンテンツに関連する関連コンテンツであって前記ユーザの行動を促す関連コンテンツが表示されるよう前記複数のコンテンツに関する順序を決定する、
ことを特徴とする請求項１７に記載の配信装置。
【請求項１９】
コンピュータが実行する配信方法であって、
ユーザのユーザ情報に基づいて複数のコンテンツに関する順序を決定する決定工程と、
前記決定工程によって決定された順序で一つずつ表示される前記複数のコンテンツであって、評価が指定可能に表示されたコンテンツに対する前記ユーザの評価を受け付けるのに合わせて、当該コンテンツの次順位のコンテンツが表示される前記複数のコンテンツを前記ユーザの端末装置に配信する配信工程と、
を含み、
前記配信工程は、前記ユーザの端末装置に表示されたコンテンツを前記ユーザが指定した状態において、所定の方向に移動させた場合に一の評価として受け付けるとともに次のコンテンツが表示され、前記所定の方向とは反対方向に閾値以上移動させた場合に他の評価として受け付けるとともに次のコンテンツが表示されるコンテンツを配信する
ことを特徴とする配信方法。
【請求項２０】
ユーザのユーザ情報に基づいて複数のコンテンツに関する順序を決定する決定手順と、
前記決定手順によって決定された順序で一つずつ表示される前記複数のコンテンツであって、評価が指定可能に表示されたコンテンツに対する前記ユーザの評価を受け付けるのに合わせて、当該コンテンツの次順位のコンテンツが表示される前記複数のコンテンツを前記ユーザの端末装置に配信する配信手順と、
をコンピュータに実行させ、
前記配信手順は、前記ユーザの端末装置に表示されたコンテンツを前記ユーザが指定した状態において、所定の方向に移動させた場合に一の評価として受け付けるとともに次のコンテンツが表示され、前記所定の方向とは反対方向に閾値以上移動させた場合に他の評価として受け付けるとともに次のコンテンツが表示されるコンテンツを配信する
ことを特徴とする配信プログラム。
【発明の詳細な説明】
【技術分野】
【０００１】
本発明は、配信装置、配信方法、配信プログラム、端末装置、表示方法、及び表示プログラムに関する。
【背景技術】
【０００２】
近年、インターネット上からユーザが取得できる情報が増大している。そのため、ユーザが関心のある全てのコンテンツを閲覧することは時間的に難しく、ユーザ自身が検索してコンテンツを取得することを面倒に感じるユーザも多い。このようなユーザに対してユーザの関心が高いと推定されるコンテンツを配信する情報提供サービスが提供されている。
【０００３】
しかし、このような情報提供サービスにおいて膨大なコンテンツから各ユーザに対して適切なコンテンツを抽出することが難しく、ユーザにとっては関心の低いコンテンツが配信されることがある。そこで、ユーザに対して適切なコンテンツを配信するために、ユーザの位置情報に基づいてコンテンツを選択する技術が提供されている。
【先行技術文献】
【特許文献】
【０００４】
【特許文献１】特開２００７−２６４７６４号公報
【特許文献２】特開２０１１−２２１６６５号公報
【特許文献３】特開２００５−０１１３０７号公報
【発明の概要】
【発明が解決しようとする課題】
【０００５】
しかしながら、上記の従来技術では、ユーザの満足度を高めることができるとは限らない。具体的には、表示されたコンテンツからユーザが閲覧するコンテンツを選択する場合、ユーザはどのコンテンツを閲覧するかを選択することを面倒に感じることがあり、ユーザの満足度を高めることは難しい。
【０００６】
本願は、上記に鑑みてなされたものであって、ユーザの満足度を高めることができる配信装置、配信方法、配信プログラム及び端末装置を提供することを目的とする。
【課題を解決するための手段】
【０００７】
本願に係る配信装置は、ユーザのユーザ情報に基づいて複数のコンテンツに関する順序を決定する決定部と、前記決定部によって決定された順序で一つずつ表示される前記複数のコンテンツを前記ユーザの端末装置に配信する配信部と、を備えたことを特徴とする。
【発明の効果】
【０００８】
実施形態の一態様によれば、ユーザの満足度を高めることができるという効果を奏する。
【図面の簡単な説明】
【０００９】
【図１】図１は、実施形態に係る配信処理の一例を示す図である。
【図２】図２は、実施形態に係る配信装置の構成例を示す図である。
【図３】図３は、実施形態に係るコンテンツ記憶部の一例を示す図である。
【図４】図４は、実施形態に係る属性情報記憶部の一例を示す図である。
【図５】図５は、実施形態に係る位置情報記憶部の一例を示す図である。
【図６】図６は、実施形態に係る端末装置の一例を示す図である。
【図７】図７は、実施形態に係る画面遷移の一例を示す図である。
【図８】図８は、実施形態に係る配信処理手順を示すシーケンス図である。
【図９】図９は、変形例に係るユーザの生活圏の一例を示す図である。
【図１０】図１０は、変形例に係る画面遷移の一例を示す図である。
【図１１】図１１は、変形例に係る画面遷移の一例を示す図である。
【図１２】図１２は、変形例に係る画面遷移の一例を示す図である。
【図１３】図１３は、変形例に係る画面遷移の一例を示す図である。
【図１４】図１４は、配信装置の機能を実現するコンピュータの一例を示すハードウェア構成図である。
【発明を実施するための形態】
【００１０】
以下に、本願に係る配信装置、配信方法、配信プログラム及び端末装置を実現するための形態（以下、「実施形態」と呼ぶ）について図面を参照しつつ詳細に説明する。なお、この実施形態により本願に係る配信装置、配信方法、配信プログラム及び端末装置が限定されるものではない。また、以下の各実施形態において同一の部位には同一の符号を付し、重複する記載は省略される。
【００１１】
〔１．配信処理〕
まず、図１を用いて、実施形態に係る配信処理の一例について説明する。図１に示すように、配信システム１は、端末装置１０と、配信装置１００とが含まれる。端末装置１０と、配信装置１００とは図示しない所定の通信網を介して、有線又は無線により通信可能に接続される。なお、図１に示した配信システム１には、複数台の端末装置１０や、複数台の配信装置１００が含まれてもよい。
【００１２】
端末装置１０は、例えば、タッチパネルの機能を備えるタブレット端末であって、ウェブページを閲覧するユーザによって利用される情報処理装置である。つまり、図１に示した端末装置１０は、ユーザが表示画面に触れることによる操作、いわゆるタッチパネルによる操作を受け付けるタブレット端末である。言い換えると、ユーザは、指や専用ペンで端末装置１０の出力部１３である表示画面をタッチすることにより各種操作を行う。なお、端末装置１０は、例えば、スマートフォンや、デスクトップ型ＰＣ（Personal  Computer）や、ノート型ＰＣや、携帯電話機や、ＰＤＡ（Personal  Digital  Assistant）等であってもよい。また、端末装置１０は、インストールされたコンテンツ配信アプリケーション（以下、単に「アプリ」とする場合がある）を介して、配信装置１００から所定数のコンテンツを取得する。また、端末装置１０は、ユーザによる操作に従って、所定数のコンテンツを一つずつ表示するが、詳細は後述する。
【００１３】
配信装置１００は、端末装置１０を所有するユーザのユーザ情報に基づいて、複数のコンテンツを抽出する。そして、配信装置１００は、抽出した複数のコンテンツに関する順序を決定し、所定数のコンテンツを端末装置１０へ配信する。この点について、図１を用いて説明する。図１に示した配信装置１００は、ユーザに対して、ユーザの関心が高そうなコンテンツを配信する配信サービスを提供する。
【００１４】
図１に示すように、端末装置１０は、アプリを起動した場合（ステップＳ１１）、端末装置１０を所有するユーザの現在の位置情報を配信装置１００へ送信する（ステップＳ１２）。
【００１５】
続いて、配信装置１００は、端末装置１０から現在の位置情報を受信した場合（ステップＳ１２）、端末装置１０を所有するユーザのユーザ情報に基づいて複数のコンテンツを抽出する（ステップＳ１３）。例えば、配信装置１００は、図１に示す例において、コンテンツＣ１１、Ｃ１２、Ｃ１３・・・を含む複数のコンテンツを抽出する。ここで、配信装置１００は、ユーザ情報として、例えば、端末装置１０から取得したユーザの現在の位置情報や、予め取得したユーザの行動履歴やユーザの属性情報等を用いる。また、配信装置１００は、後述する各コンテンツに対するユーザの好き嫌いの評価に関する情報をユーザの属性情報に反映させる。なお、配信装置１００が用いるユーザ情報の詳細については後述する。
【００１６】
その後、配信装置１００は、端末装置１０を所有するユーザのユーザ情報に基づいて、抽出した複数のコンテンツに関する順序を決定する（ステップＳ１４）。具体的には、配信装置１００は、抽出した複数のコンテンツについて、端末装置１０に表示する順序を決定する。例えば、配信装置１００は、図１に示す例において、コンテンツＣ１１の表示順を１番に、コンテンツＣ１２の表示順を２番に、コンテンツＣ１３の表示中を３番・・・に決定する。また、配信装置１００は、抽出した複数のコンテンツ中のコンテンツＣ１１〜Ｃ１３以外のコンテンツについても、同様に４番以降の表示順を決定する。なお、ステップＳ１３〜Ｓ１４の複数のコンテンツの抽出、順序の決定についての詳細は後述する。
【００１７】
続いて、配信装置１００は、ステップＳ１４において決定した表示順に関する情報と所定数のコンテンツとを端末装置１０へ送信する（ステップＳ１５）。具体的には、配信装置１００は、表示順１番のコンテンツＣ１１、表示順２番のコンテンツＣ１２、表示順３番のコンテンツＣ１３・・・を含む所定数のコンテンツを、その表示順に関する情報とともに端末装置１０へ送信する。例えば、配信装置１００は、所定数が「１０」である場合、表示順１番のコンテンツＣ１１、表示順２番のコンテンツＣ１２、表示順３番のコンテンツＣ１３・・・を含む１０個のコンテンツを、その表示順に関する情報とともに端末装置１０へ送信する。
【００１８】
なお、配信装置１００は、端末装置１０からコンテンツの取得要求を受信した場合、配信済みコンテンツの順位以降のコンテンツを端末装置１０へ送信する。上記のように所定数が「１０」である例において、配信装置１００は、表示順が１〜１０番のコンテンツを端末装置１０へ送信した後、端末装置１０からコンテンツの取得要求を受信した場合、表示順が１１〜２０番の１０個のコンテンツを、その表示順に関する情報とともに端末装置１０へ送信する。また、配信装置１００は、さらに端末装置１０からコンテンツの取得要求を受信した場合、表示順が２１〜３０番の１０個のコンテンツを、その表示順に関する情報とともに端末装置１０へ送信する。
【００１９】
このように、実施形態に係る配信装置１００は、ユーザのユーザ情報に基づいて抽出した複数のコンテンツに対して表示順を決定し、決定された順序で一つずつ表示される所定数のコンテンツを端末装置１０へ送信する。これにより、ユーザは、その時点で自身の関心の高いコンテンツを順番に閲覧することができる。つまり、ユーザは、その時点の自身の状態に適したコンテンツを閲覧することができる。すなわち、配信装置１００は、ユーザの満足度を高めることができる。なお、端末装置１０は、ユーザの位置情報を取得できない等の理由により現在の位置情報を送信できない場合は、アプリを起動した後、アプリを起動したことを示す情報を配信装置１００へ送信してもよい。この場合、アプリを起動したことを示す情報を受信した配信装置１００は、ステップＳ１３〜Ｓ１５の処理を行う。
【００２０】
〔２．表示処理〕
次に、図１のステップＳ１５で所定数のコンテンツを受信した端末装置１０が実行する表示処理の一例について説明する。なお、以下の説明では、ユーザの操作により、端末装置１０がコンテンツを表示する表示処理の一例を、第１状態から第３状態に分けて説明する。
【００２１】
まず、第１状態に示すように、端末装置１０は、所定数のコンテンツを受信すると、受信したコンテンツ中で表示順の最も早いコンテンツを画面に表示する。具体的には、図１に示す例において、端末装置１０は、表示順が１番のコンテンツＣ１１を画面に表示する。ここで、図１に示す例において、端末装置１０の画面には、起動したアプリのアプリウィンドＡ１０が表示されており、アプリウィンドＡ１０中のコンテンツ表示領域Ｒ１０にコンテンツＣ１１が表示される。
【００２２】
また、端末装置１０の画面上のアプリウィンドＡ１０中には、表示されたコンテンツに対するユーザの主観的な評価をその表示態様の変化により示す好意表示領域Ｒ１１及び嫌悪表示領域Ｒ１２が表示される。好意表示領域Ｒ１１は、ユーザが表示されたコンテンツに対して良い感情を抱いていることを示す。例えば、好意表示領域Ｒ１１は、ユーザが表示されたコンテンツに関連する情報を今後も取得することを希望していることを示す。つまり、好意表示領域Ｒ１１は、ユーザが表示されたコンテンツに対して関心が高いことを示す。また、嫌悪表示領域Ｒ１２は、ユーザが表示されたコンテンツに対して良くない感情を抱いていることを示す。例えば、嫌悪表示領域Ｒ１２は、ユーザが表示されたコンテンツに関連する情報を今後は取得することを希望しないことを示す。つまり、嫌悪表示領域Ｒ１２は、ユーザが表示されたコンテンツに対して関心が低いことを示す。
【００２３】
ここで、図１の第１状態から第２状態への変化に基づいて、好意表示領域Ｒ１１が表示態様の変化によりユーザの主観的な評価を示す例を説明する。まず、第１状態は、ユーザによりアプリウィンドＡ１０中のコンテンツ表示領域Ｒ１０が指定された状態を示す。具体的には、第１状態は、ユーザが端末装置１０の画面中のコンテンツ表示領域Ｒ１０が表示された領域を指でタッチしている状態を示す。図１に示すアプリウィンドＡ１０中において、好意表示領域Ｒ１１は右側に嫌悪表示領域Ｒ１２は左側に配置されている。そのため、端末装置１０は、ユーザが指でコンテンツ表示領域Ｒ１０を指定したまま、その指を左右へ移動させる操作を、表示されたコンテンツに対するユーザの主観的な評価を示す操作として受け付ける。具体的には、端末装置１０は、ユーザが指でコンテンツ表示領域Ｒ１０を指定したまま、その指を右側へ移動させる操作を、ユーザの好意を示す操作として受け付ける。また、端末装置１０は、ユーザが指でコンテンツ表示領域Ｒ１０を指定したまま、その指を左側へ移動させる操作を、ユーザの嫌悪を示す操作として受け付ける。このように、端末装置１０は、各コンテンツに対するユーザの好悪、すなわち好き嫌いの評価の指定に関する操作を受け付ける。
【００２４】
次に、第２状態は、ユーザが指でコンテンツ表示領域Ｒ１０を指定したまま、その指を右側へ移動させた状態を示す。つまり、第２状態は、ユーザの好意を示す操作がされた状態を示す。このとき、端末装置１０は、好意表示領域Ｒ１１の表示態様を変化させる。具体的には、端末装置１０は、ユーザの指定した指の右方向への移動量に応じて、好意表示領域Ｒ１１の色を中心から外側へ向かって放射状に徐々に変化させる。そして、端末装置１０は、好意表示領域Ｒ１１全体の色が変化した場合、表示されたコンテンツに対するユーザの主観的な評価である好意の指定が完了したとして、次のコンテンツ、すなわち表示順２番のコンテンツＣ１２を表示する。言い換えると、端末装置１０は、ユーザの好意を示す操作がされたコンテンツＣ１１に対しては、ユーザが好意すなわち高い関心を示す情報が得られる。
【００２５】
また、図１に示す例では、上記のユーザ操作に連動して、アプリウィンドＡ１０中のコンテンツ表示領域Ｒ１０には、表示順１番のコンテンツＣ１１が右方向へスライドし、表示順２番のコンテンツＣ１２の一部が表示される。具体的には、表示順１番のコンテンツＣ１１が本のページのようにめくられ、次に表示される表示順２番のコンテンツＣ１２が分かるような表示になる。つまり、コンテンツ表示領域Ｒ１０には、次に表示されるコンテンツの一部が表示される。これにより、ユーザに対して次のコンテンツがあることや、その内容の一部を知らせることができるため、次のコンテンツをユーザが閲覧する可能性が高くなる。
【００２６】
なお、嫌悪表示領域Ｒ１２が表示態様の変化によりユーザの主観的な評価を示す場合についても上記と同様である。具体的には、図１に示す例において、端末装置１０は、ユーザの指定した左方向への指の移動量に応じて、嫌悪表示領域Ｒ１２の色を中心から外側へ向かって放射状に徐々に変化させる。そして、端末装置１０は、嫌悪表示領域Ｒ１２全体の色が変化した場合、表示されたコンテンツに対するユーザの主観的な評価である嫌悪の指定が完了したとして、次のコンテンツ、すなわち表示順２番のコンテンツＣ１２を表示する。また、端末装置１０は、好意表示領域Ｒ１１がユーザにより選択されることにより、ユーザが表示されたコンテンツに対して良い感情を抱いていることの指定を受け付けてもよい。例えば、端末装置１０は、ユーザが指で好意表示領域Ｒ１１を指定した場合、表示されたコンテンツに対して良い感情を抱いていることの指定を受け付けてもよい。同様に、端末装置１０は、嫌悪表示領域Ｒ１２がユーザにより選択されることにより、ユーザが表示されたコンテンツに対して良くない感情を抱いていることの指定を受け付けてもよい。
【００２７】
図１の第３状態は、表示順１番のコンテンツＣ１１に対するユーザの主観的な評価の指定が完了し、次のコンテンツ、すなわち表示順２番のコンテンツＣ１２が表示された状態を示す。このように、端末装置１０は、コンテンツの表示の切り替え操作とコンテンツに対するユーザの主観的な評価の指定とを一体としてユーザに行わせることにより、ユーザがコンテンツを閲覧させながら、ユーザがどのようなコンテンツに関心があるかの情報を取得することができる。そして、端末装置１０は、ユーザによる主観的な評価の指定を記憶し、所定のタイミングで配信装置１００へ送信する。
【００２８】
端末装置１０は、上述した表示処理を繰り返し、取得したコンテンツを表示する。そして、端末装置１０は、取得したコンテンツの全てに対してユーザの主観的な評価の指定が完了した場合、つまり、取得したコンテンツの全てを表示した場合、配信装置１００に対して新たなコンテンツの取得を要求する。
【００２９】
このように、実施形態に係る端末装置１０は、配信装置１００から端末装置１０を所有するユーザのユーザ情報に基づいて表示順が決定された所定数のコンテンツを、その表示順に関する情報とともに受信する。そして、端末装置１０は、受信した所定数のコンテンツをその表示順に従って受信したコンテンツを一つずつ表示する。すなわち、端末装置１０は、ユーザに対して適切なコンテンツを表示できる。これにより、ユーザは、その時点で自身の関心の高いコンテンツを順番に閲覧することができる。具体的には、ユーザは配信されたコンテンツから閲覧するコンテンツを選択することなく、その時点の自身の状態に適したコンテンツを順番に閲覧できる。そのため、ユーザは、どのコンテンツを閲覧するかを選択することなく関心の高いコンテンツを順番に閲覧できるため、ユーザの満足度を高めることができる。なお、端末装置１０は、ユーザが主観的な評価の指定を行うことなく次のコンテンツを表示させる操作を受け付けてもよい。この場合、ユーザは、例えば端末装置１０に表示されたスキップボタンをタッチすることにより、主観的な評価の指定を行うことなく次のコンテンツを表示させてもよい。
【００３０】
〔３．配信装置の構成〕
次に、図２を用いて、実施形態に係る配信装置１００の構成について説明する。図２は、実施例に係る配信装置１００の構成例を示す図である。図２に示すように、配信装置１００は、通信部１１０と、記憶部１２０と、制御部１３０とを有する。なお、配信装置１００は、配信装置１００の管理者等から各種操作を受け付ける入力部（例えば、キーボードやマウス等）や、各種情報を表示するための表示部（例えば、液晶ディスプレイ等）を有してもよい。
【００３１】
（通信部１１０）
通信部１１０は、例えば、ＮＩＣ（Network  Interface  Card）によって実現される。かかる通信部１１０は、図示しない所定の通信網と有線又は無線で接続される。そして、通信部１１０は、図示しない所定の通信網を介して、端末装置１０との間で情報の送受信を行う。
【００３２】
（記憶部１２０）
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１２０は、図２に示すように、コンテンツ記憶部１２１と、属性情報記憶部１２２と、位置情報記憶部１２３とを有する。コンテンツ記憶部１２１は、コンテンツに関する情報を記憶し、属性情報記憶部１２２及び位置情報記憶部１２３は、ユーザのユーザ情報を記憶する。
【００３３】
（コンテンツ記憶部１２１）
実施形態に係るコンテンツ記憶部１２１は、配信するコンテンツに関する情報を記憶する。例えば、配信装置１００は、コンテンツをウェブサーバ等の他の情報処理装置から取得し、コンテンツ記憶部１２１に格納する。つまり、配信装置１００は、コンテンツ提供元からコンテンツの提供を受け、提供されたコンテンツを配信する。また、配信装置１００は、配信装置１００の管理者等が作成したコンテンツをコンテンツ記憶部１２１に格納してもよい。図３には、コンテンツ記憶部１２１に記憶されるコンテンツに関する情報の一例を示す。図３に示すように、コンテンツ記憶部１２１は、コンテンツに関する情報として、「コンテンツＩＤ」、「コンテンツ」、「ジャンル」、「地域」、「分類１」、「分類２」・・・といった項目を有する。
【００３４】
「コンテンツＩＤ」は、コンテンツを識別するための識別情報を示す。「コンテンツ」は、配信するコンテンツを示す。図３では「コンテンツ」に「Ｃ４０」といった概念的な情報が格納される例を示したが、実際には、静止画像や動画像やテキストデータやＵＲＬ、又は、これらの格納場所を示すファイルパス名などが格納される。
【００３５】
「ジャンル」は、コンテンツの属性を示す。具体的には、「ジャンル」は、ニュース、映画、天気、路線、ロコ等のコンテンツの種別を示す。例えば、図３に示す例において、コンテンツＩＤ「ＣＴ１」により識別されるコンテンツＣ４０は、コンテンツの種別が「ニュース」であることを示す。なお、ここでいう「ロコ」とは、特定の地域に密接した情報（例えばイベント情報や店舗情報）を示す種別であり、以下では、ロコに関する情報やロコに関するコンテンツを「ロコ」や「ロコ情報」と称する場合がある。
【００３６】
「地域」は、コンテンツの内容に関連する地域を示す。具体的には、「地域」として、関東、関西や東京などの地方を示す名称や都道府県名や市町村名などの地名が記憶される。なお、「地域」は、地域が特定できればどのような情報であってもよく、例えば六本木１丁目などの詳細な地名や番地、号、建物名を含む所在地であってもよい。また、「地域」は、コンテンツの内容に関する地域の緯度や経度などの数値情報であってもよい。なお、コンテンツに関連する地域が複数ある場合、「地域」としてコンテンツに関連する地域を複数個記憶してもよい。
【００３７】
「分類１」、「分類２」・・・は、コンテンツの内容に関する分類を示す。具体的には、「分類１」は、政治、Ｚ線、スポーツ等であり、コンテンツにどのような情報が掲載されているかを示す。また、「分類２」は、国会、遅延、サッカー等であり、「分類１」よりも詳細なコンテンツの内容に関する分類を示す。例えば、図３に示す例において、コンテンツＩＤ「ＣＴ６」により識別されるコンテンツＣ１２は、コンテンツの内容（分類）が「スポーツ」、及び「サッカー」であることを示す。つまり、コンテンツＩＤ「ＣＴ６」により識別されるコンテンツＣ１２は、サッカーに関するニュースであることを示す。なお、図３に示す例において、「分類２」は、「分類１」よりも詳細なコンテンツの内容に関する分類（例えば「分類１」の下位概念）を示すが、「分類１」、「分類２」・・・として記憶される情報は、コンテンツの内容に関する情報であればどのような情報であってもよい。例えば、コンテンツ記憶部１２１は、ジャンルが「映画」であるコンテンツに対して、「分類１」、「分類２」・・・としてその映画の出演者名を記憶してもよい。
【００３８】
また、コンテンツ記憶部１２１は、コンテンツの提供元を示す情報、例えばＷｅｂページのＵＲＬ（Uniform  Resource  Locator）を記憶してもよい。また、コンテンツ記憶部１２１は、コンテンツの取得日時や作成日時などに関する情報を記憶してもよい。また、コンテンツ記憶部１２１は、コンテンツに関する日時に関する情報を記憶してもよい。例えば、コンテンツ記憶部１２１は、コンテンツＩＤ「ＣＴ６」により識別されるサッカーのニュースに関するコンテンツＣ１２に対して、そのサッカーが行われる日付や開始時間などを記憶してもよい。なお、上記のコンテンツ記憶部１２１に記憶される情報は、コンテンツに関する情報から配信装置１００が自動的に抽出してもよいし、コンテンツ提供元やコンテンツの作成者から取得してもよい。例えば、配信装置１００は、コンテンツのタイトル等からコンテンツの内容に関連する地域を推定してもよい。
【００３９】
（属性情報記憶部１２２）
実施形態に係る属性情報記憶部１２２は、ユーザの属性情報を記憶する。例えば、属性情報記憶部１２２は、ユーザの属性情報として、ユーザのサイコグラフィック属性やデモグラフィック属性を記憶する。
【００４０】
図４には、属性情報記憶部１２２に記憶されるユーザの属性情報の一例を示す。図４に示すように、属性情報記憶部１２２に記憶されるユーザの属性情報には、「ユーザＩＤ」、「サイコグラフィック属性」、「デモグラフィック属性」といった項目が含まれる。
【００４１】
「ユーザＩＤ」は、ユーザを識別するための識別情報を示す。「サイコグラフィック属性」は、ユーザの価値観、ライフスタイル、性格、嗜好などを示す。「デモグラフィック属性」は、ユーザに関する人口統計学的な情報を示す。
【００４２】
図４に示す例では、属性情報記憶部１２２は、「サイコグラフィック属性」として、ユーザの関心のある対象に関する情報を記憶する。具体的には、属性情報記憶部１２２は、「サイコグラフィック属性」として、「車」、「ファッション」、「旅行」、「スポーツ」・・・に対する各ユーザの関心を数値として記憶する。例えば、属性情報記憶部１２２には、ユーザＩＤ「Ｕ１１」により識別されるユーザは、車に対する関心が「９０」であり、ファッションに対する関心が「−３０」であり、旅行に対する関心が「０」であり、スポーツに対する関心が「５０」・・・であることが記憶される。ここで、ユーザの対象に対する関心を示す数値が大きい程、そのユーザが対象に対して関心があることを示す。つまり、ユーザＩＤ「Ｕ１１」により識別されるユーザは、車に対する関心が高く、ファッションに対する関心が低いことがわかる。
【００４３】
なお、属性情報記憶部１２２は、ユーザの関心のある対象に関する情報として、「関心有」や「関心無」を記憶してもよい。具体的には、属性情報記憶部１２２は、ユーザが関心のある対象に対しては「１」を、ユーザが関心のない対象に対しては「０」を記憶してもよい。例えば、属性情報記憶部１２２には、ユーザＩＤ「Ｕ１１」により識別されるユーザは、車に対する関心が「１」であり、ファッションに対する関心が「０」であり、旅行に対する関心が「０」であり、スポーツに対する関心が「１」であることを記憶してもよい。また、属性情報記憶部１２２は、ユーザの関心のある対象に関する情報として、「関心が高い」、「関心が低い」、「どちらでもない」を記憶してもよい。具体的には、属性情報記憶部１２２は、ユーザの関心が高い対象に対しては「１」を、ユーザの関心が低い対象に対しては「−１」を、どちらでもない対象に対しては「０」を記憶してもよい。例えば、属性情報記憶部１２２には、ユーザＩＤ「Ｕ１１」により識別されるユーザは、車に対する関心が「１」であり、ファッションに対する関心が「−１」であり、旅行に対する関心が「０」であり、スポーツに対する関心が「１」であることを記憶してもよい。なお、属性情報記憶部１２２は、「サイコグラフィック属性」として、ユーザの過去の購買履歴やライフスタイルに関する情報などサイコグラフィック属性に関する情報であればどのような情報を記憶してもよい。
【００４４】
図４に示す例では、属性情報記憶部１２２は、「デモグラフィック属性」として、ユーザの「性別」、「年齢」を記憶する。例えば、属性情報記憶部１２２には、ユーザＩＤ「Ｕ１１」により識別されるユーザは、性別が「男」であり、年齢が「３２」であることが記憶される。なお、属性情報記憶部１２２は、「性別」として、ユーザが女性である場合には「１」を、ユーザが男性である場合には「２」を記憶してもよい。また、属性情報記憶部１２２は、ユーザの年齢に関する情報として、「２０代」や「３０代」などの情報を記憶してもよい。なお、属性情報記憶部１２２は、「デモグラフィック属性」として、ユーザの職業、家族構成、年収、出身地、学歴などデモグラフィック属性に関する情報であればどのような情報を記憶してもよい。なお、上記の属性情報記憶部１２２に記憶される情報は、ユーザがアプリを使用する際に取得する行動履歴から配信装置１００が自動的に抽出してもよいし、ユーザによる入力から取得してもよい。例えば、配信装置１００は、アプリを介してユーザから入力を受け付けることによりユーザの性別、年齢、関心のある対象などに関する情報を取得してもよい。
【００４５】
（位置情報記憶部１２３）
実施形態に係る位置情報記憶部１２３は、ユーザの地理的な特徴を示す位置情報、いわゆるジオグラフィック属性に関する情報を記憶する。例えば、位置情報記憶部１２３は、ユーザの位置情報として、ユーザの現在位置や自宅や会社（学校）の所在地や、通勤（通学）経路などを記憶する。
【００４６】
図５には、位置情報記憶部１２３に記憶されるユーザの位置情報の一例を示す。図４に示すように、位置情報記憶部１２３に記憶されるユーザの属性情報には、「ユーザＩＤ」、「所在地」、「通勤（通学）経路」といった項目が含まれる。
【００４７】
「ユーザＩＤ」は、ユーザを識別するための識別情報を示す。ここで、図４及び図５に示す例において、位置情報記憶部１２３に記憶されるユーザＩＤと、属性情報記憶部１２２に記憶されるＩＤとは共通のＩＤが用いられる。例えば、位置情報記憶部１２３に記憶されるユーザＩＤ「Ｕ１１」により識別されるユーザと、属性情報記憶部１２２に記憶されるユーザＩＤ「Ｕ１１」により識別されるユーザとは、配信システム１において同一のユーザとして識別される。
【００４８】
なお、位置情報記憶部１２３に記憶されるユーザＩＤにより識別されるユーザと、属性情報記憶部１２２に記憶されるユーザＩＤにより識別されるユーザとの紐付けが可能であれば、共通のＩＤを用いなくてもよい。つまり、位置情報記憶部１２３と属性情報記憶部１２２とは異なるユーザＩＤにより同一のユーザを識別してもよい。例えば、位置情報記憶部１２３がユーザＩＤ「Ｕ１１」により識別されるユーザを、属性情報記憶部１２２はユーザＩＤ「ＵＳＥＲ１００」として識別してもよい。この場合、位置情報記憶部１２３に記憶されるユーザＩＤ「Ｕ１１」により識別されるユーザと、属性情報記憶部１２２に記憶されるユーザＩＤ「ＵＳＥＲ１００」により識別されるユーザとは、配信システム１において同一のユーザとして識別される。
【００４９】
図５に示す例では、位置情報記憶部１２３は、「所在地」として、ユーザの「現在地」、ユーザの「自宅」、ユーザの「会社（学校）」、ユーザがよく行く「ショップ」に関する位置情報を記憶する。例えば、位置情報記憶部１２３には、ユーザＩＤ「Ｕ１１」により識別されるユーザは、現在地が「六本木」であり、自宅が「中野」にあり、会社（学校）が「六本木」にあり、よく行くショップが「新宿」・・・にあることが記憶される。なお、「所在地」に関する位置情報は、場所が特定できればどのような情報であってもよく、例えば六本木１丁目などの詳細な地名や番地、号、建物名を含む所在地であってもよい。また、「所在地」に関する位置情報は、自宅や会社の位置を示す緯度や経度などの数値情報であってもよい。なお、位置情報記憶部１２３は、同一の「所在地」に関する位置情報が複数ある場合、「所在地」に関する位置情報として、同一の「所在地」に関する位置情報を複数個記憶してもよい。例えば、位置情報記憶部１２３は、同一の「所在地」である「ショップ」が複数ある場合、各「ショップ」に関する位置情報をそれぞれ記憶してもよい。
【００５０】
図５に示す例では、位置情報記憶部１２３は、「通勤（通学）経路」として、出発する駅を示す「始点」、到着する駅を示す「終点」、乗換駅を示す「経由」、利用する交通機関の路線の名称を示す「路線名」に関する情報を記憶する。例えば、位置情報記憶部１２３には、ユーザＩＤ「Ｕ１１」により識別されるユーザは、始点が「ＡＡ駅」であり、終点が「ＢＢ駅」にあり、経由が「ＣＣ駅」であり、路線名が「Ａ線」・・・であることが記憶される。なお、位置情報記憶部１２３は、「通勤（通学）経路」として、各駅や各路線に割り当てた駅ＩＤや路線ＩＤを記憶してもよい。また、一人のユーザに「通勤（通学）経路」が複数ある場合、一人のユーザに対して複数の「通勤（通学）経路」を記憶してもよい。
【００５１】
なお、図５では、位置情報記憶部１２３は、鉄道による「通勤（通学）経路」を記憶する例を示したが、バスによる「通勤（通学）経路」や、鉄道とバスを組み合わせた「通勤（通学）経路」や、自動車・自転車等による「通勤（通学）経路」など通勤（通学）経路に関する情報であればどのような情報を記憶してもよい。また、上記の位置情報記憶部１２３に記憶される情報は、ユーザの端末装置１０から取得した行動履歴から配信装置１００が自動的に抽出してもよいし、ユーザによる入力から取得してもよい。例えば、配信装置１００は、アプリを介してユーザから入力を受け付けることによりユーザの自宅や会社の場所、始点や終点の駅名などに関する情報を取得してもよい。
【００５２】
（制御部１３０）
図２の説明に戻って、制御部１３０は、例えば、ＣＰＵ（Central  Processing  Unit）やＭＰＵ（Micro  Processing  Unit）等によって、配信装置１００内部の記憶装置に記憶されている各種プログラム（配信プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００５３】
図２に示すように、制御部１３０は、受信部１３１と、決定部１３２と、配信部１３３とを有し、以下に説明する情報処理の機能や作用を実現または実行する。なお、制御部１３０の内部構成は、図２に示した構成に限られず、後述する情報処理を行う構成であれば他の構成であってもよい。また、制御部１３０が有する各処理部の接続関係は、図２に示した接続関係に限られず、他の接続関係であってもよい。
【００５４】
（受信部１３１）
受信部１３１は、コンテンツをウェブサーバ等の他の情報処理装置から受信する。また、受信部１３１は、端末装置１０においてアプリが起動された場合等に、アプリを起動したことを示す情報やユーザの現在の位置情報などを端末装置１０から受信する。また、受信部１３１は、端末装置１０からコンテンツの取得要求を受信する。なお、受信部１３１は、端末装置１０においてアプリが起動された場合等に、アプリを起動したことを示す情報やユーザの現在の位置情報などをコンテンツの取得要求として端末装置１０から受信してもよい。また、受信部１３１は、端末装置１０を所有するユーザの行動履歴やユーザの現在の位置情報などを端末装置１０から定期的に受信する。例えば、受信部１３１は、端末装置１０においてアプリが実行中である場合等に、例えば５分おきなど短い間隔でユーザの行動履歴やユーザの現在の位置情報などを端末装置１０から取得する。なお、端末装置１０が記憶するユーザの行動履歴に関しては後述する。
【００５５】
また、受信部１３１は、ユーザによる主観的な評価の指定に関する情報を端末装置１０から受信する。具体的には、受信部１３１は、各コンテンツに対するユーザの評価に関する情報を端末装置１０から受信する。例えば、受信部１３１は、各コンテンツに対するユーザの好き嫌いの評価に関する情報を端末装置１０から受信する。
【００５６】
（決定部１３２）
決定部１３２は、受信部１３１により受信した各コンテンツに対するユーザの評価に関する情報に基づいて、属性情報記憶部１２２に記憶されたユーザの属性情報を更新する。具体的には、決定部１３２は、属性情報記憶部１２２に記憶された「サイコグラフィック属性」に関する情報を更新する。例えば、決定部１３２は、評価に関する情報に対応するユーザの「車」、「ファッション」、「旅行」、「スポーツ」・・・の数値を更新する。この場合、決定部１３２は、例えば「車」について好きの評価の多いユーザについては、「車」の数値を増加させる。また、決定部１３２は、例えば「ファッション」について嫌いの評価の多いユーザについては、「ファッション」の数値を減少させる。また、例えば、ユーザがジャンル「天気」に関するコンテンツに対して所定の回数（例えば５回）連続して嫌いの評価を指定した場合、決定部１３２は、そのユーザに対しては「天気」に関するコンテンツは配信しないと決定してもよい。この場合、属性情報記憶部１２２には、例えば、「ジャンル」に対する要不要を示す情報が記憶される。また、ユーザがジャンル「天気」に関するコンテンツであっても、分類が「警報」や「注意報」である気象警報に関するコンテンツについては好きの評価が指定され、分類が「今日の天気」や「通常」である一般的な天気予報に関するコンテンツについては嫌いの評価が指定される場合、決定部１３２は、そのユーザに対してはジャンルが「天気」であり分類が「今日の天気」や「通常」であるコンテンツは配信しないと決定してもよい。また、決定部１３２は、そのユーザに対してはジャンルが「天気」であり分類が「警報」や「注意報」であるコンテンツに関する関心が高いとして、その表示順を早くしてもよい。具体的には、決定部１３２は、属性情報記憶部１２２に記憶された「サイコグラフィック属性」に関する情報中の「気象警報」の数値を高くしてもよい。なお、この場合、属性情報記憶部１２２には、例えば、「通常の天気」と「気象警報」とのそれぞれに対する各ユーザの関心を示す数値と要不要を示す情報が記憶される。このように、決定部１３２は、各コンテンツに対するユーザの評価に関する情報に基づいて、リアルタイムにユーザの属性情報を更新する。
【００５７】
また、決定部１３２は、端末装置１０からコンテンツの取得要求を受信した場合、端末装置１０を所有するユーザのユーザ情報に基づいて所定のコンテンツ群から複数のコンテンツを抽出する。具体的には、決定部１３２は、コンテンツ記憶部１２１に記憶されたコンテンツ群から複数のコンテンツを抽出する。ここで、決定部１３２は、ユーザ情報として、例えば、端末装置１０から取得したユーザの現在の位置情報や、属性情報記憶部１２２や位置情報記憶部１２３に記憶されたユーザ情報などを用いる。なお、決定部１３２は、受信部１３１により受信したユーザの現在の位置情報の変化が所定量（例えば５ｋｍ）を超えた場合、再度複数のコンテンツを抽出してもよい。また、決定部１３２は、定期的（例えば１時間おき）に複数のコンテンツを抽出してもよい。
【００５８】
ここで、コンテンツの取得を要求した端末装置１０を所有するユーザがユーザＩＤ「Ｕ１１」により識別されるユーザである場合を一例として示す。決定部１３２は、ユーザＩＤ「Ｕ１１」のユーザに対して、図３に示すコンテンツ中から、ココンテンツＩＤ「ＣＴ６」のサッカーに関するニュースであるコンテンツＣ１２や、コンテンツＩＤ「ＣＴ７」の六本木で催されるイベントに関するロコ情報であるコンテンツＣ１１・・・が抽出される。例えば、決定部１３２は、図１に示す例において、ユーザＩＤ「Ｕ１１」のユーザに対して、コンテンツＣ１１、Ｃ１２、Ｃ１３・・・を含む複数のコンテンツを抽出する。
【００５９】
このとき、決定部１３２は、ユーザＩＤ「Ｕ１１」のユーザのユーザ情報を用いて複数のコンテンツを抽出する。具体的には、決定部１３２は、ユーザＩＤ「Ｕ１１」のユーザが、３２歳の男性であって、車やスポーツなどに関心が高く、かつファッションなどに関心の低いユーザであり、東京在住で現在六本木にいることなどの情報を総合して、そのユーザが関心をもちそうな複数のコンテンツを抽出する。例えば、決定部１３２は、ユーザＩＤ「Ｕ１１」のユーザの現在の位置情報が「六本木」であるが、会社の場所が「六本木」であるため、コンテンツＩＤ「ＣＴ５」の六本木のグルメに関するコンテンツＣ２１は抽出しなくてもよい。また、決定部１３２は、コンテンツを配信する時間に応じて複数のコンテンツを抽出してもよい。例えば、決定部１３２は、午前中にコンテンツを配信する場合、ニュースに関するコンテンツを他のコンテンツよりも優先して抽出してもよい。また、例えば、決定部１３２は、深夜にコンテンツを配信する場合、映画に関するコンテンツやロコ情報に関するコンテンツを抽出しなくてもよい。
【００６０】
その後、決定部１３２は、端末装置１０から取得したユーザの現在の位置情報や、属性情報記憶部１２２や位置情報記憶部１２３に記憶されたユーザ情報などに基づいて、抽出した複数のコンテンツに関する順序を決定する。具体的には、決定部１３２は、抽出した複数のコンテンツについて、端末装置１０に表示する順序を決定する。なお、決定部１３２は、受信部１３１により受信したユーザの現在の位置情報の変化が所定量（例えば５ｋｍ）を超えた場合、再度抽出した複数のコンテンツに関する順序を決定してもよい。また、決定部１３２は、定期的（例えば１時間おき）に抽出した複数のコンテンツに関する順序を決定してもよい。
【００６１】
ここで、決定部１３２は、上述した端末装置１０を所有するユーザがユーザＩＤ「Ｕ１１」のユーザである場合を一例において、ユーザＩＤ「Ｕ１１」のユーザに対して、抽出した複数のコンテンツＣ１１、Ｃ１２、Ｃ１３・・・に関する順序を決定する。例えば、決定部１３２は、図１に示す例において、コンテンツＣ１１の表示順を１番に、コンテンツＣ１２の表示順を２番に、コンテンツＣ１３の表示中を３番・・・に決定する。このとき、決定部１３２は、ユーザＩＤ「Ｕ１１」のユーザのユーザ情報を用いて複数のコンテンツに関する順序を決定する。具体的には、決定部１３２は、ユーザＩＤ「Ｕ１１」のユーザが、３２歳の男性であって、車やスポーツなどに関心が高く、かつファッションなどに関心の低いユーザであり、東京在住で現在六本木にいることなどの情報を総合して、複数のコンテンツＣ１１、Ｃ１２、Ｃ１３・・・に関する順序を決定する。例えば、決定部１３２は、ユーザＩＤ「Ｕ１１」のユーザの現在の位置情報が「六本木」であるが、会社の場所が「六本木」であるため、コンテンツＩＤ「ＣＴ５」の六本木のグルメに関するコンテンツＣ２１が抽出されたコンテンツに含まれる場合、コンテンツＣ２１の順位を低くしてもよい。また、決定部１３２は、コンテンツを配信する時間に応じてコンテンツに関する順序を決定してもよい。例えば、決定部１３２は、午前中にコンテンツを配信する場合、ニュースに関するコンテンツを他のコンテンツよりも順位を早くしてもよい。また、例えば、決定部１３２は、深夜にコンテンツを配信する場合、映画に関するコンテンツやロコ情報に関するコンテンツを他のコンテンツよりも順位を遅くしてもよい。
【００６２】
（配信部１３３）
配信部１３３は、受信部１３１により端末装置１０から最初にコンテンツの取得要求を受信した場合、決定部１３２により決定した表示順と所定数のコンテンツとを端末装置１０へ送信する。具体的には、配信部１３３は、表示順１番のコンテンツＣ１１、表示順２番のコンテンツＣ１２、表示順３番のコンテンツＣ１３・・・を含む所定数のコンテンツを、その表示順に関する情報とともに端末装置１０へ送信する。例えば、配信部１３３は、所定数が「１０」である場合、表示順１番のコンテンツＣ１１、表示順２番のコンテンツＣ１２、表示順３番のコンテンツＣ１３を含む１０個のコンテンツを、その表示順に関する情報とともに端末装置１０へ送信する。
【００６３】
なお、配信部１３３は、受信部１３１により端末装置１０からさらにコンテンツの取得要求を受信した場合、配信済みコンテンツの順位以降のコンテンツを端末装置１０へ送信する。上記のように所定数が「１０」である例において、配信部１３３は、表示順が１〜１０番のコンテンツを端末装置１０へ送信した後、端末装置１０からさらにコンテンツの要求を取得した場合、表示順が１１〜２０番の１０個のコンテンツを、その表示順に関する情報とともに端末装置１０へ送信する。また、配信部１３３は、さらに端末装置１０からコンテンツの要求を取得した場合、表示順が２１〜３０番の１０個のコンテンツを、その表示順に関する情報とともに端末装置１０へ送信する。
【００６４】
〔４．端末装置の構成〕
次に、図６を用いて、実施形態にかかる端末装置１０について説明する。図６は、実施形態にかかる端末装置１０の構成例を示す図である。図６に示すように、端末装置１０は、通信部１１と、検知部１２と、出力部１３と、ＧＰＳ１４と、行動記憶部１５と、アプリ制御部２０とを有する。
【００６５】
（通信部１１）
通信部１１は、例えば、ＮＩＣ（Network  Interface  Card）等によって実現される。そして、通信部１１は、図示しない所定の通信網を介して、配信装置１００との間で情報の送受信を行う。
【００６６】
（検知部１２）
検知部１２は、タッチパネルの機能によりタブレット端末等の表示画面を介してユーザから各種操作を受け付ける。すなわち、検知部１２は、端末装置１０の出力部１３を介してユーザから各種操作を受け付ける。例えば、検知部１２は、端末装置１０の出力部１３を介してユーザの指定操作等の操作を受け付ける。言い換えると、検知部１２は、タッチパネルの機能によりユーザの操作を受け付ける入力部として機能する。なお、検知部１２によるユーザの操作の検知方式には、タブレット端末では主に静電容量方式が採用されるが、他の検知方式である抵抗膜方式、表面弾性波方式、赤外線方式、電磁誘導方式など、ユーザの操作を検知できタッチパネルの機能が実現できればどのような方式を採用してもよい。また、端末装置１０は、端末装置１０にボタンが設けられたり、キーボードやマウスが接続されていたりする場合、ボタン等による操作も受け付ける入力部を有してもよい。
【００６７】
（出力部１３）
出力部１３は、例えば液晶ディスプレイや有機ＥＬ（Electro-Luminescence）ディスプレイ等によって実現されるタブレット端末等の表示画面であり、各種情報を表示するための表示装置である。つまり、端末装置１０は、出力部１３である表示画面によりユーザの入力を受け付け、ユーザへの出力も行う。
【００６８】
（ＧＰＳ１４）
ＧＰＳ１４は、ＧＰＳ（Global  Positioning  System）衛星と通信するＧＰＳ送受信機能を有し、端末装置１０の位置情報を取得する。なお、端末装置１０は、通信を行っている基地局の位置情報や、ＷｉＦｉ（登録商標）（Wireless  Fidelity）の電波を用いて推定された端末装置１０の位置情報を取得してもよい。また、端末装置１０は、上記の位置情報を組み合わせて端末装置１０の位置情報を推定してもよい。
【００６９】
（行動記憶部１５）
行動記憶部１５は、例えば、ＲＡＭ（Random  Access  Memory)、フラッシュメモリ（Flash  Memory）等の半導体メモリ素子、または、ハードディスク、光ディスク等の記憶装置によって実現される。そして、行動記憶部１５は、端末装置１０を所有するユーザに関する行動履歴を記憶する。具体的には、行動記憶部１５は、アプリ実行中の端末装置１０の位置情報を記憶する。なお、行動記憶部１５は、アプリが停止中の端末装置１０の位置情報を記憶してもよい。
【００７０】
（アプリ制御部２０）
アプリ制御部２０は、例えば、ＣＰＵ（Central  Processing  Unit）やＭＰＵ（Micro  Processing  Unit）等によって、アプリがＲＡＭ（Random  Access  Memory）を作業領域として実行されることにより実現される。また、アプリ制御部２０は、例えば、ＡＳＩＣ（Application  Specific  Circuit）やＦＰＧＡ（Field  Programmable  Gate  Array）等の集積回路により実現される。
【００７１】
アプリ制御部２０は、受信部２１と、表示部２２と、受付部２３と、送信部２４とを有し、以下に説明する情報処理の機能や作用を実現または実行する。なお、アプリ制御部２０の内部構成は、図６に示した構成に限られず、後述する情報処理を行う構成であれば他の構成であってもよい。また、アプリ制御部２０が有する各処理部の接続関係は、図６に示した接続関係に限られず、他の接続関係であってもよい。なお、アプリ制御部２０は、端末装置１０にインストールされたコンテンツ配信アプリによって実行制御される。
【００７２】
（受信部２１）
受信部２１は、通信部１１を介して配信装置１００から配信されたコンテンツを受信する。具体的には、受信部２１は、配信装置１００から配信された所定数のコンテンツを受信する。なお、受信部２１は、配信装置１００から受信したコンテンツを図示しない記憶部へ格納してもよい。
【００７３】
（表示部２２）
表示部２２は、受信部２１により所定数のコンテンツを受信した場合、受信したコンテンツ中で表示順の最も早いコンテンツを出力部１３に表示する。具体的には、図１に示す例において、端末装置１０は、表示順が１番のコンテンツＣ１１を出力部１３に表示する。ここで、図１に示す例において、表示部２２は、端末装置１０の出力部１３に、起動したアプリのアプリウィンドＡ１０を表示し、アプリウィンドＡ１０中のコンテンツ表示領域Ｒ１０にコンテンツＣ１１を表示する。また、表示部２２は、上述のように端末装置１０の出力部１３上のアプリウィンドＡ１０中に、表示されたコンテンツに対するユーザの主観的な評価をその表示態様の変化により示す好意表示領域Ｒ１１及び嫌悪表示領域Ｒ１２を表示する。
【００７４】
（受付部２３）
受付部２３は、検知部１２により検知されたユーザの操作を受け付ける。ここで、図１に示す端末装置１０の第１状態から第２状態への変化に基づいて、受付部２３により受け付けたユーザの操作に応じた、表示部２２による表示の変化について説明する。まず、第１状態は、受付部２３がユーザによるコンテンツ表示領域Ｒ１０の指定を受け付けた状態を示す。具体的には、第１状態は、ユーザが端末装置１０の画面中のコンテンツ表示領域Ｒ１０が表示された領域を指でタッチする操作を受付部２３が受け付けた状態を示す。
【００７５】
ここで、図１に示すアプリウィンドＡ１０中において、好意表示領域Ｒ１１は右側に嫌悪表示領域Ｒ１２は左側に配置されている。そのため、受付部２３は、ユーザが指でコンテンツ表示領域Ｒ１０を指定したまま、その指を左右へ移動させる操作を、表示されたコンテンツに対するユーザの主観的な評価を示す操作として受け付ける。具体的には、受付部２３は、ユーザが指でコンテンツ表示領域Ｒ１０を指定したまま、その指を右側へ移動させる操作を、ユーザの好意を示す操作として受け付ける。また、受付部２３は、ユーザが指でコンテンツ表示領域Ｒ１０を指定したまま、その指を左側へ移動させる操作を、ユーザの嫌悪を示す操作として受け付ける。
【００７６】
次に、第２状態は、ユーザが指でコンテンツ表示領域Ｒ１０を指定したまま、その指を右側へ移動させる操作を、受付部２３が受け付けた状態を示す。つまり、第２状態は、受付部２３がユーザの好意を示す操作を受け付けた状態を示す。このとき、表示部２２は、好意表示領域Ｒ１１の表示態様を変化させる。具体的には、表示部２２は、ユーザの指定した指の右方向への移動量に応じて、好意表示領域Ｒ１１の色を中心から外側へ向かって放射状に徐々に変化させる。そして、受付部２３は、ユーザの指定した指が所定量を超えて右方向へ移動した場合、表示されたコンテンツに対するユーザの主観的な評価である好意の指定を受け付ける。このとき、表示部２２は、好意表示領域Ｒ１１全体の色を変化させる。そして、表示部２２は、表示されたコンテンツに対する好意の指定が完了したとして、次のコンテンツ、すなわち表示順２番のコンテンツＣ１２を表示する。言い換えると、受付部２３は、ユーザの好意を示す操作がされたコンテンツＣ１１に対しては、ユーザが好意すなわち高い関心を示す情報を受け付ける。
【００７７】
また、図１に示す例では、表示部２２は、上記のユーザ操作に連動して、アプリウィンドＡ１０中のコンテンツ表示領域Ｒ１０において、表示順１番のコンテンツＣ１１が右方向へスライドさせ、表示順２番のコンテンツＣ１２の一部を表示する。具体的には、表示部２２は、表示順１番のコンテンツＣ１１が本のページのようにめくられ、次に表示される表示順２番のコンテンツＣ１２が分かるような表示する。つまり、表示部２２は、コンテンツ表示領域Ｒ１０に、次に表示されるコンテンツの一部を表示する。
【００７８】
なお、嫌悪表示領域Ｒ１２が表示態様の変化によりユーザの主観的な評価を示す場合についても上記と同様である。具体的には、図１に示す例において、表示部２２は、ユーザの指定した指の左方向への移動量に応じて、嫌悪表示領域Ｒ１２の色を中心から外側へ向かって放射状に徐々に変化させる。そして、受付部２３は、ユーザの指定した指が所定量を超えて左方向へ移動した場合、表示されたコンテンツに対するユーザの主観的な評価である嫌悪の指定を受け付ける。このとき、表示部２２は、好意表示領域Ｒ１１全体の色を変化させる。そして、表示部２２は、表示されたコンテンツに対する嫌悪の指定が完了したとして、次のコンテンツ、すなわち表示順２番のコンテンツＣ１２を表示する。
【００７９】
図１の第３状態は、表示順１番のコンテンツＣ１１に対するユーザの主観的な評価の指定が完了し、表示部２２が次のコンテンツ、すなわち表示順２番のコンテンツＣ１２を表示した状態を示す。このようにコンテンツの表示の切り替え操作とコンテンツに対するユーザの主観的な評価の指定とを一体としてユーザに行わせることにより、受付部２３は、ユーザがコンテンツをユーザがどのようなコンテンツに関心があるかの情報を受け付けることができる。なお、受付部２３は、コンテンツに対するユーザの主観的な評価に関する情報を図示しない記憶部へ格納してもよい。
【００８０】
また、受付部２３は、ＧＰＳ１４から端末装置１０の位置情報を受け付ける。そして、受付部２３は、ＧＰＳ１４から受け付けた端末装置１０の位置情報を行動記憶部１５へ格納する。
【００８１】
（送信部２４）
送信部２４は、行動記憶部１５に記憶された端末装置１０を所有するユーザに関する行動履歴を配信装置１００へ送信する。また、送信部２４は、受付部２３により受け付けたコンテンツに対するユーザの主観的な評価の指定に関する情報を所定のタイミングで配信装置１００へ送信する。また、送信部２４は、端末装置１０においてアプリが起動された場合等に、アプリを起動したことを示す情報やユーザの現在の位置情報などを配信装置１００へ送信する。また、送信部２４は、配信装置１００に対してコンテンツの取得要求を送信する。例えば、送信部２４は、受信部２１により受信したコンテンツの全てに対してユーザの主観的な評価の指定が完了した場合、配信装置１００に対して新たなコンテンツの取得要求を送信する。
【００８２】
ここで、図７に示す例を用いて、受信部２１により受信したコンテンツの全てに対してユーザの主観的な評価の指定が完了した場合の画像遷移について説明する。図７（ａ）は、表示部２２が、コンテンツＣ１４をコンテンツ表示領域Ｒ１０に表示した状態を示す。コンテンツＣ１４は、受信部２１により受信したコンテンツにおいてユーザの主観的な評価の指定が未完了のコンテンツである。図７に示す例において、コンテンツＣ１４は、受信部２１により受信したコンテンツのうちユーザの主観的な評価の指定が未完了である残り１個のコンテンツである。言い換えると、図７に示す例において、コンテンツＣ１４は、受信部２１により受信したコンテンツのうち表示部２２により最後に表示されたコンテンツである。
【００８３】
図７（ｂ）は、表示部２２が、受信部２１により受信したコンテンツの全てに対してユーザの主観的な評価の指定が完了したことを示す完了画面Ａ１１を表示した状態を示す。図７に示す例において、コンテンツＣ１４に対するユーザの主観的な評価の指定が完了した場合、表示部２２は、図７（ａ）に示す表示態様から図７（ｂ）に示す表示態様へ表示を変化させる。また、図７（ｃ）は、表示部２２が、ユーザに対して新たなコンテンツの取得を要求するかを確認するコンテンツ要求画面Ａ１２を表示した状態を示す。図７（ｃ）において、受付部２３は、例えば、ユーザがコンテンツ要求画面Ａ１２を表示された画面をタッチすることにより、新たなコンテンツの取得要求を受け付けてもよい。なお、図７（ｂ）から図７（ｃ）への画面遷移は、所定の条件により行ってもよい。表示部２２は、所定の条件としては、例えば完了画面Ａ１１の表示後５秒経過後や完了画面Ａ１１の表示領域にユーザがタッチすることなどを条件として、図７（ｂ）から図７（ｃ）へ画面遷移させてもよい。
【００８４】
図７（ｄ）は、表示部２２が、配信装置１００に対して新たなコンテンツの取得要求を行っていることを示すコンテンツ取得画面Ａ１３を表示した状態を示す。表示部２２は、例えば、受付部２３は、新たなコンテンツの取得要求を受け付けた場合、コンテンツ取得画面Ａ１３を表示する。このとき、送信部２４は、配信装置１００に対して新たなコンテンツの取得要求を送信する。そして、表示部２２は、受信部２１により新たなコンテンツを受信した場合、例えば図１の端末装置１０の第１状態に示すように、受信した新たなコンテンツのうち、最も表示順の早いコンテンツをアプリウィンドＡ１０中のコンテンツ表示領域Ｒ１０に表示する。
【００８５】
また、画像遷移は図７に示す例に限らず、表示部２２は、例えば、完了画面Ａ１１を表示せずに、コンテンツ要求画面Ａ１２を表示してもよい。また、表示部２２は、例えば、完了画面Ａ１１の表示後、所定の期間（例えば１０秒）経過後に、コンテンツ取得画面Ａ１３を表示してもよい。この場合、送信部２４は新たなコンテンツの取得要求を送信する。つまり、表示部２２は、図７（ａ）から図７（ｂ）を経て図７（ｄ）を表示してもよく、図７（ａ）から図７（ｃ）を経て図７（ｄ）を表示してもよく、図７（ａ）から図７（ｄ）を表示してもよい。なお、送信部２４は、表示部２２により図７（ｄ）に示すコンテンツ取得画面Ａ１３が表示された場合、配信装置１００に対して新たなコンテンツの取得要求を送信してもよい。
【００８６】
〔５．配信処理手順〕
次に、図８を用いて、実施形態に係る配信システム１による配信処理の手順について説明する。図８は、実施形態に係る配信システム１による配信処理手順を示すシーケンス図である。
【００８７】
図８に示すように、端末装置１０は、アプリを起動した場合（ステップＳ１０１）、端末装置１０を所有するユーザの現在の位置情報を配信装置１００へ送信する（ステップＳ１０２）。端末装置１０から現在の位置情報を受信した配信装置１００は、端末装置１０を所有するユーザのユーザ情報に基づいて複数のコンテンツを抽出する（ステップＳ１０３）。例えば、配信装置１００は、属性情報記憶部１２２や位置情報記憶部１２３に記憶されたユーザ情報に基づいて複数のコンテンツを抽出する。
【００８８】
その後、配信装置１００は、端末装置１０を所有するユーザのユーザ情報に基づいて、抽出した複数のコンテンツに関する順序を決定する（ステップＳ１０４）。具体的には、配信装置１００は、抽出した複数のコンテンツについて、端末装置１０に表示する表示順を決定する。
【００８９】
続いて、配信装置１００は、ステップＳ１０４において決定した表示順に関する情報と所定数のコンテンツとを端末装置１０へ送信する（ステップＳ１０５）。例えば、配信装置１００は、所定数が「１０」である場合、表示順が１〜１０番の１０個のコンテンツを、その表示順に関する情報とともに端末装置１０へ送信する。
【００９０】
そして、端末装置１０を所有するユーザは、端末装置１０が配信装置１００から所定数のコンテンツを受信した場合、端末装置１０により受信したコンテンツを閲覧する（ステップＳ１０６）。具体的には、ユーザは、受信したコンテンツ中で表示順の最も早いコンテンツから順にコンテンツを閲覧する。
【００９１】
ここで、端末装置１０は、受信した全てのコンテンツをユーザが閲覧した場合、新たなコンテンツを配信装置１００へ要求する（ステップＳ１０７）。言い換えると、端末装置１０は、受信した全てのコンテンツに対するユーザの主観的な評価の指定が完了した場合、新たなコンテンツの取得要求を配信装置１００へ送信する。
【００９２】
そして、配信装置１００は、端末装置１０から新たなコンテンツの取得要求を受信した場合（ステップＳ１０７）、所定数の新たなコンテンツをその表示順に関する情報とともに端末装置１０へ送信する（ステップＳ１０８）。つまり、配信装置１００は、配信済みコンテンツの順位以降の所定数のコンテンツを、その表示順に関する情報とともに端末装置１０へ送信する。例えば、配信装置１００は、所定数が「１０」である場合、端末装置１０から新たなコンテンツの取得要求を受信した場合、表示順が１１〜２０番の１０個のコンテンツを、その表示順に関する情報とともに端末装置１０へ送信する。なお、配信装置１００は、さらに端末装置１０から新たなコンテンツの取得要求を受信した場合、表示順が２１〜３０番の１０個のコンテンツを、その表示順に関する情報とともに端末装置１０へ送信する。
【００９３】
〔６．変形例〕
上述した実施形態に係る配信システム１は、上記実施形態以外にも様々な異なる形態にて実施されてよい。そこで、以下では、上記の配信システム１の他の実施形態について説明する。
【００９４】
〔６−１．ユーザの生活圏〕
配信装置１００は、端末装置１０から受信したユーザの位置情報や位置情報記憶部１２３に記憶したユーザの位置情報に基づいて、そのユーザの生活圏を特定してもよい。例えば、配信装置１００は、端末装置１０から短い間隔（例えば３分）で連続して位置情報を取得することで、ユーザの生活圏を特定してもよい。
【００９５】
図９は、配信装置１００がユーザの位置情報に基づいて特定したユーザの生活圏の一例を示す図である。図９に示す例において、配信装置１００は、ユーザの自宅Ｐ１、ユーザの会社Ｐ、及びユーザのよく行くショップＰ３をその範囲に含む生活圏ＡＲ１０を特定する。なお、生活圏の特定は上記に限らず、例えば、ユーザの自宅を中心とした所定の範囲（半径５ｋｍ以内など）を生活圏としてもよい。また、ユーザの自宅を中心とした所定の範囲、ユーザの会社を中心とした所定の範囲、及びユーザのよく行くショップを中心とした所定の範囲を移動経路で結んだ範囲を生活圏としてもよい。また、配信装置１００は、特定したユーザの生活圏に基づいて、ユーザに配信するコンテンツを抽出してもよい。例えば、配信装置１００は、ユーザの自宅、会社、乗換駅付近のショップに関するロコ情報を配信してもよい。また、例えば、配信装置１００は、ユーザの生活圏から所定の距離離れた（例えば２０ｋｍ）生活圏外のロコ情報などをそのユーザの端末装置１０に配信してもよい。また、配信装置１００は、ユーザの現在の位置情報が生活圏外にある場合、ユーザの現在の位置の近くのロコ情報をそのユーザの端末装置１０に配信してもよい。
【００９６】
このように、配信装置１００は、推測したユーザの生活圏に基づいてユーザに配信するコンテンツを抽出し、その表示順を決定することにより、ユーザがその時点でより関心を持つ可能性が高いコンテンツをそのユーザに対して配信することができる。これにより、端末装置１０は、推測されたユーザの生活圏に基づいてユーザが行う可能性のある行動に関するコンテンツをユーザに提示することができる。言い換えると、端末装置１０は、その時点でのユーザの状態に基づいてユーザに対して近い未来に行う行動に関する提案を行うことができる。したがって、ユーザは、その時点の自身の状態に適したコンテンツを閲覧することができる。これにより、配信装置１００は、ユーザの満足度を高めることができる。
【００９７】
また、配信装置１００は、端末装置１０から取得するユーザの位置情報とともにその位置情報を取得した時間情報を用いて、端末装置１０を所有するユーザの生活行動を推測し、推測したユーザの生活行動に基づいて、ユーザに配信するコンテンツを抽出してもよい。この場合、配信装置１００は、例えば、端末装置１０から取得するユーザの位置情報とともにその位置情報を取得した時間情報を位置情報記憶部１２３に記憶する。
【００９８】
例えば、配信装置１００は、平日の夜の時間帯にユーザの現在の位置情報が自宅付近である場合、そのユーザは仕事から帰宅した後であると推定し、そのユーザの関心が高いエンターテインメントに関するコンテンツを配信してもよい。具体的には、配信装置１００は、平日の夜の時間帯にユーザの現在の位置情報が自宅付近である場合、そのユーザが映画に関心が高ければ、インターネット配信中の映画に関するコンテンツを配信してもよい。また、そのユーザがお笑いに関心が高ければ、現在放送中のテレビ番組に関するコンテンツや、動画サイトに関するコンテンツを配信してもよい。また、例えば、配信装置１００は、平日の夜の時間帯にユーザの現在の位置情報が会社付近である場合、そのユーザは後ほど退社すると推定し、その通勤経路上にあるショップに関するロコ情報を配信してもよい。具体的には、配信装置１００は、平日の夜の時間帯にユーザの現在の位置情報が会社付近である場合、そのユーザに対して会社付近や自宅付近にあるレストランや居酒屋に関するロコ情報を配信してもよい。また、配信装置１００は、ユーザの生活行動として退社時間を推定し、例えば退社時間の１０分前などに会社付近や自宅付近にあるレストランや居酒屋に関するロコ情報を配信してもよい。また、配信装置１００は、休日の夜の時間帯にユーザの現在の位置情報が会社付近である場合、例えば、翌週以降に催されるイベントに関するロコ情報や転職に関するコンテンツを配信してもよい。
【００９９】
このように、配信装置１００は、推測したユーザの生活圏に関する情報である生活行動に基づいてユーザに配信するコンテンツを抽出し、その表示順を決定することにより、ユーザがその時点でより関心を持つ可能性が高いコンテンツをそのユーザに対して配信することができる。これにより、端末装置１０は、推測されたユーザの生活行動に基づいてユーザが行う可能性のある行動に関するコンテンツをユーザに提示することができる。言い換えると、端末装置１０は、その時点でのユーザの状態に基づいてユーザに対して近い未来に行う行動に関する提案を行うことができる。したがって、ユーザは、その時点の自身の状態に適したコンテンツを閲覧することができる。これにより、配信装置１００は、ユーザの満足度を高めることができる。
【０１００】
〔６−２．コンテンツの表示順〕
また、配信装置１００は、時間的な制限が現在日時に近い情報を含むコンテンツほど順序を早くしてもよい。具体的には、配信装置１００は、例えば電車の遅延情報に関するコンテンツなど他のコンテンツに比べて時間的に優先度の高いコンテンツ（以下、「優先コンテンツ」と称する場合がある）の表示順を早くする。この場合、コンテンツ記憶部１２１は、コンテンツの優先順位に関する情報を記憶してもよい。また、コンテンツ記憶部１２１は、コンテンツの優先順位に関する情報を記憶してもよい。
【０１０１】
ここで、図１に示す端末装置１０を所有するユーザがユーザＩＤ「Ｕ１１」により識別されるユーザであり、Ａ線が遅延している場合を例に説明する。ユーザＩＤ「Ｕ１１」のユーザは、図５中の位置情報記憶部１２３に示すように「Ａ線」を通勤（通学）経路に含むユーザである。そのため、配信装置１００は、Ａ線の遅延情報に関する優先コンテンツの表示順を１番、コンテンツＣ１１の表示順を２番、コンテンツＣ１２の表示順を３番、コンテンツＣ１３の表示順を４番・・・として、それらのコンテンツを端末装置１０へ送信する。それらのコンテンツを受信した端末装置１０は、表示順が１番のＡ線の遅延情報に関する優先コンテンツを画面に表示する。これにより、ユーザは、その時点で自身の関心の高いコンテンツを閲覧することができる。つまり、ユーザは、その時点の自身の状態に適したコンテンツを閲覧することができる。すなわち、配信装置１００は、ユーザの満足度を高めることができる。このように、配信装置１００は、例えば電車の遅延情報やゲリラ豪雨の注意報などを他のコンテンツよりも優先して閲覧することができる。ここで、電車の遅延情報やゲリラ豪雨の注意報などのコンテンツは、電車の遅延が解消したり、ゲリラ豪雨が止んだりした後に閲覧しても価値の低い情報といえる。言い換えると、このようなコンテンツは、ユーザがいつ閲覧するかが他のコンテンツよりも重要なコンテンツといえる。したがって、配信装置１００は、時間の経過によって価値が大きく低下するようなコンテンツが他のコンテンツよりも優先して表示されるようにユーザに配信することにより、ユーザが時間的な制限のあるコンテンツを価値が高い状態で閲覧する可能性を高めることにより、ユーザの満足度をより高めることができる。
【０１０２】
なお、配信装置１００は、Ａ線の遅延情報に関する優先コンテンツＰＣ１０を取得した場合、端末装置１０からのコンテンツの取得要求に関わらず、端末装置１０へ優先コンテンツＰＣ１０を配信してもよい。図１０は、端末装置１０がコンテンツを表示中に優先コンテンツを取得した場合の画面遷移の一例を示す図である。図１０（ａ）は、図１に示す端末装置１０の第１状態に対応しており、アプリウィンドＡ１０中のコンテンツ表示領域Ｒ１０にコンテンツＣ１１が表示される。以下では、図１０に示す端末装置１０を所有するユーザがユーザＩＤ「Ｕ１１」により識別されるユーザであり、Ａ線が遅延している場合を例に説明する。
【０１０３】
端末装置１０は、コンテンツＣ１１を表示中にＡ線の遅延情報に関する優先コンテンツＰＣ１０を取得した場合、コンテンツＣ１１の次に、Ａ線の遅延情報に関する優先コンテンツＰＣ１０を表示する。具体的には、端末装置１０は、図１０（ｂ）に示すようにコンテンツＣ１１に対するユーザの主観的な評価の指定を受け付けた後、図１０（ｃ）に示すようにＡ線の遅延情報に関する優先コンテンツＰＣ１０を表示する。これにより、ユーザがコンテンツを閲覧中であっても、時間的な制限が現在日時に近い情報を含むコンテンツほど順序を早く表示できる。すなわち、配信装置１００は、ユーザの満足度を高めることができる。
【０１０４】
ここで、端末装置１０は、優先コンテンツを表示した後に、優先コンテンツに関連する関連コンテンツを表示してもよい。つまり、配信装置１００は、コンテンツの関係性に基づいてコンテンツに関する順序を決定してもよい。具体的には、配信装置１００は、所定のコンテンツに関連する関連コンテンツであってユーザの行動を促す関連コンテンツが、所定のコンテンツの後に表示されるようコンテンツに関する順序を決定する。例えば、配信装置１００は、優先コンテンツの後に、その優先コンテンツに関連する関連コンテンツであってユーザの行動を促す関連コンテンツが、その優先コンテンツの後に表示されるようコンテンツに関する順序を決定する。
【０１０５】
図１０（ｃ）〜（ｄ）は、端末装置１０が優先コンテンツを表示した後に優先コンテンツに関連する関連コンテンツを表示する画面遷移の一例を示す。上述したように、図１０（ｃ）は、Ａ線の遅延情報に関する優先コンテンツＰＣ１０を表示した画面の一例を示す。ここで、ユーザＩＤ「Ｕ１１」のユーザは、図５中の位置情報記憶部１２３に示すように「Ａ線」を通勤（通学）経路に含むユーザであり、現在地は「六本木」である。そこで、端末装置１０は、例えば、Ａ線の遅延情報に関する優先コンテンツＰＣ１０の次に六本木近くのカフェに関する関連コンテンツＲＣ１０を表示する。具体的には、端末装置１０は、図１０（ｃ）に示すＡ線の遅延情報に関する優先コンテンツＰＣ１０に対するユーザの主観的な評価の指定を受け付けた後、図１０（ｄ）に示す六本木近くのカフェに関する関連コンテンツＲＣ１０を表示する。これにより、端末装置１０は、ユーザが近い未来に行う可能性のある行動に関するコンテンツをユーザに提示することができる。言い換えると、端末装置１０は、その時点でのユーザの状態に基づいてユーザに対して近い未来、例えば次に行う行動に関する提案を行うことができる。つまり、ユーザは、その時点の自身の状態に適したコンテンツを受け取ることができる。
【０１０６】
なお、配信装置１００は、端末装置１０からのコンテンツの取得要求に関わらず、端末装置１０へ優先コンテンツＰＣ１０を配信する場合、優先コンテンツＰＣ１０とともに関連コンテンツＲＣ１０を端末装置１０へ配信してもよい。また、配信装置１００は、端末装置１０からのコンテンツの取得要求を受け付けた場合、所定のコンテンツに関連する関連コンテンツであってユーザの行動を促す関連コンテンツを、所定のコンテンツとともに配信してもよい。また、端末装置１０は、優先コンテンツＰＣ１０を受信した場合、アプリの起動の有無に関わらず、優先コンテンツＰＣ１０を受信したことの通知、いわゆるプッシュ通知を行ってもよい。例えば、端末装置１０は、アプリの起動の有無に関わらず、優先コンテンツＰＣ１０を受信したことを画面上に表示してもよい。また、端末装置１０は、アプリの起動の有無に関わらず、優先コンテンツＰＣ１０を画面上に表示してもよい。
【０１０７】
また、配信装置１００は、例えば、アプリを起動した端末装置１０を保有するユーザの自宅や会社等の所在地において、降雨が予想されている場合、端末装置１０へ当該所在地の降雨予想に関する優先コンテンツを端末装置１０へ配信してもよい。配信装置１００は、例えば、ユーザＩＤ「Ｕ１１」のユーザがアプリを起動した場合、「Ｕ１１」のユーザの自宅の「中野」や会社の「六本木」で降雨が予想されていれば、その所在地の降雨予想に関する優先コンテンツを「Ｕ１１」のユーザの端末装置１０へ配信してもよい。
【０１０８】
また、配信装置１００は、例えば、映画に関心の高いユーザが映画館の近くにいる場合、チケットのＱＲコード（登録商標）等を含む優先コンテンツをそのユーザの端末装置１０へ配信してもよい。このとき、端末装置１０は、アプリの起動の有無に関わらず、優先コンテンツを受信したことを画面上に表示してもよく、優先コンテンツを画面上に表示してもよい。なお、配信装置１００は、上記例に限らず、ユーザが関心をもつことが期待されるコンテンツであればどのようなコンテンツを優先コンテンツとしてもよい。例えば、配信装置１００は、インターネットにおいて検索数が急増しているキーワード、いわゆる急上昇ワードなどに関する対象に関心の高いユーザに対しては、その急上昇ワードを含むコンテンツをそのユーザの端末装置１０へ配信してもよい。また、例えば、配信装置１００は、休日等に自宅の所在地から現在の位置情報が変化しないユーザに対して、上映中の映画に関するコンテンツをそのユーザの端末装置１０へ配信してもよい。
【０１０９】
〔６−３．お気に入り登録〕
また、端末装置１０は、ユーザが指定したお気に入りコンテンツが日時に関する情報を含む場合、その日時が近づいてきたことを知らせる通知を行ってもよい。この点について、図１１を用いて説明する。
【０１１０】
図１１は、ユーザが端末装置１０に表示されたコンテンツをお気に入りに指定した場合の画面遷移の一例を示す図である。図１１（ａ）には、花火大会が催されることに関するコンテンツＣ１３が表示された例を示す。ここで、ユーザが画面に表示された登録ボタンＢ１０にタッチすることなどにより、コンテンツＣ１３をお気に入りに指定した場合、コンテンツＣ１３がお気に入りに追加される。図１１（ｂ）は、お気に入りに指定されたコンテンツが一覧表示されるお気に入り一覧画面Ａ１４が表示された例を示す。図１１（ｂ）に示すように、お気に入り一覧画面Ａ１４には、ユーザがお気に入りに指定したコンテンツＣ１３が表示される。このように、ユーザは自身の関心のあるコンテンツをお気に入りとして管理できる。
【０１１１】
ここで、端末装置１０は、お気に入り一覧中のコンテンツに日時に関する情報が含まれる場合、その日時が近づいてきたことを知らせる通知を行う。例えば、コンテンツＣ１３にはＸ月Ｘ日に花火大会が催されることが記載されており、コンテンツＣ１３は、日時に関する情報を含むコンテンツである。そのため、端末装置１０は、Ｘ月Ｘ日に近づいてきた場合（例えば前日）に、アプリの起動の有無に関わらず、コンテンツＣ１３に関する日時に近づいてきたことを画面上に表示してもよい。また、端末装置１０は、アプリの起動の有無に関わらず、コンテンツＣ１３を画面上に表示してもよい。これにより、ユーザは、その時点で自身の関心の高いコンテンツを閲覧することができる。
【０１１２】
〔６−４．表示態様に基づく評価〕
また、端末装置１０は、コンテンツを表示してからそのコンテンツに対するユーザの主観的な評価の指定が完了するまでの時間や、コンテンツに対するユーザの主観的な評価の指定が完了した場合のコンテンツの表示態様に関する情報を配信装置１００へ送信してもよい。そして、ユーザの主観的な評価の指定が完了するまでの時間やコンテンツの表示態様に関する情報を受信した配信装置１００は、それらの情報を用いて新たな複数のコンテンツに関する順序を決定してもよい。例えば、配信装置１００は、ユーザの操作により表示可能な範囲が段階的に変化するコンテンツを配信し、各コンテンツに対する評価が指定されたときの当該コンテンツにおける表示可能な範囲に基づいて、新たな複数のコンテンツに関する順序を決定してもよい。この点について、図１２を用いて説明する。
【０１１３】
図１２は、ユーザが端末装置１０に表示されたコンテンツの詳細の閲覧を希望した場合の画面遷移の一例を示す図である。図１２（ａ）には、イベントが催されることに関するコンテンツＣ１１が表示された例を示す。ここで、ユーザが画面において「詳しく見る」が表示された領域にタッチすることなどにより、コンテンツＣ１１の詳細の閲覧を希望した場合、コンテンツＣ１１の詳細が表示される。図１２（ｂ）は、コンテンツ表示領域Ｒ１０を下方へ拡張した詳細表示領域Ｒ２０にコンテンツＣ１１の詳細が表示された例を示す。
【０１１４】
ここで、端末装置１０は、コンテンツを表示してからそのコンテンツに対するユーザの主観的な評価の指定が完了するまでの時間や、コンテンツに対するユーザの主観的な評価の指定が完了した場合のコンテンツの表示態様に関する情報を収集する。端末装置１０は、図１２に示す例において、コンテンツＣ１１を表示してからコンテンツＣ１１に対するユーザの主観的な評価の指定が完了するまでの時間（例えば１０秒）を計時する。また、端末装置１０は、コンテンツＣ１１に対するユーザの主観的な評価の指定が完了した場合、コンテンツＣ１１の詳細の閲覧を希望した後に行ったかに関する情報を収集する。つまり、端末装置１０は、ユーザがコンテンツのタイトルやその記事の一部を見て主観的な評価を行ったのか、記事の内容まで確認してから主観的な評価を行ったのかに関する情報を収集する。図１２（ｂ）に示す例において端末装置１０は、好意表示領域Ｒ１３がユーザにより選択されることにより、ユーザが表示されたコンテンツに対して良い感情を抱いていることの指定を受け付けてもよい。例えば、端末装置１０は、ユーザが指で好意表示領域Ｒ１３を指定した場合、表示されたコンテンツに対して良い感情を抱いていることの指定を受け付けてもよい。同様に、端末装置１０は、嫌悪表示領域Ｒ１４がユーザにより選択されることにより、ユーザが表示されたコンテンツに対して良くない感情を抱いていることの指定を受け付けてもよい。
【０１１５】
その後、端末装置１０は、ユーザの主観的な評価の指定が完了するまでの時間やコンテンツの表示態様に関する情報を配信装置１００へ送信する。そして、配信装置１００は、それらの情報を用いて新たな複数のコンテンツに関する順序を決定してもよい。つまり、配信装置１００は、コンテンツに対する評価が指定されたときの当該コンテンツにおける表示態様に基づいて、新たな複数のコンテンツに関する順序を決定してもよい。また、配信装置１００は、コンテンツが端末装置１０に表示されてから当該コンテンツに対する評価がユーザによって指定されるまでの時間に基づいて、新たな複数のコンテンツに関する順序を決定してもよい。これにより、ユーザは、その時点で自身の関心の高いコンテンツを閲覧することができる。つまり、ユーザは、その時点の自身の状態に適したコンテンツを閲覧することができる。すなわち、配信装置１００は、ユーザの満足度を高めることができる。また、例えば、配信装置１００は、コンテンツに対する評価が、タイトルが表示された段階で指定されたか、本文などのコンテンツの詳細が表示された段階で指定されたかによって、新たな複数のコンテンツに関する順序を決定する。配信装置１００は、例えばユーザが詳細まで表示させた後に嫌いの評価を指定した場合、タイトルに関連するジャンルには関心が高いが、本文の内容については関心が低いと推定できる。この場合、配信装置１００は、そのユーザについてタイトルに関連するジャンルに関心が高く、本文の内容の分類には関心が低いと推定してもよい。具体的には、ユーザがあるスポーツ選手の移籍などの近況に関するタイトルのコンテンツの詳細を選択し、その内容がその選手のゴシップに関する内容であった場合において、ユーザがそのコンテンツに対して嫌いの評価を指定したとする。この場合、配信装置１００は、スポーツには関心が高く、スポーツ選手のゴシップには関心が低いと推定してもよい。そして、配信装置１００は、そのユーザに対してスポーツに関するコンテンツは配信するが、スポーツ選手のゴシップに関しては配信しないようにしてもよい。このように、配信装置１００は、各コンテンツに対するユーザの評価を行った際のコンテンツの表示可能な範囲に基づいて、複数のコンテンツを抽出し、その表示順を決定することにより、ユーザの満足度をより高めることができる。なお、配信装置１００は、ユーザの主観的な評価が行われてコンテンツのタイトルや記事に含まれる単語に関する情報を用いて新たな複数のコンテンツに関する順序を決定してもよい。例えば、配信装置１００は、コンテンツの詳細の閲覧をせずに好きの評価を行ったユーザは、タイトルに含まれる単語に関するコンテンツに関心が高いと推定してもよい。また、配信装置１００は、コンテンツの詳細の閲覧した後に嫌いの評価を行ったユーザは、タイトルに含まれる単語に関するコンテンツに関心が高いが、記事に含まれる単語に関するコンテンツに関心が低いと推定してもよい。
【０１１６】
〔６−５．好意を示す評価の指定後の広告配信〕
また、配信装置１００は、端末装置１０に表示されたコンテンツに対して所定の評価が指定された場合、そのコンテンツに関連する広告コンテンツを端末装置１０に配信してもよい。例えば、配信装置１００は、端末装置１０に表示されたコンテンツに対して所定の評価が指定された場合、端末装置１０からコンテンツに関する情報と所定の評価の指定に関する情報を受信する。そして、配信装置１００は、所定の評価の指定されたコンテンツに関連する広告コンテンツを端末装置１０へ配信する。広告コンテンツを受信した端末装置１０は、その広告コンテンツを表示する。なお、端末装置１０は、コンテンツに対して所定の評価がされた場合、予め受信した広告コンテンツを表示してもよい。この点について、図１３を用いて説明する。
【０１１７】
図１３は、端末装置１０が表示したコンテンツに対して所定の評価が指定された場合、そのコンテンツに関連する広告コンテンツを表示する画面遷移の一例を示す。図１３（ａ）は、アプリウィンドＡ１０中のコンテンツ表示領域Ｒ１０に新車発表に関するコンテンツＣ１５が表示された例を示す。ここで、端末装置１０は、新車発表に関するコンテンツＣ１５に対するユーザの好意の指定を受け付けた場合、図１３（ｂ）に示すように車に関する広告コンテンツＡＤ１０を表示する。これにより、端末装置１０は、広告コンテンツの内容に関心の高いユーザに対して、その広告コンテンツを提示することができる。つまり、端末装置１０は、効果的にユーザに対して広告コンテンツを提示することができる。すなわち、配信装置１００は、ユーザに対して適切な広告コンテンツを配信できる。なお、広告コンテンツＡＤ１０には動画情報が含まれてもよい。ここで表示された広告コンテンツＡＤ１０は、コンテンツＣ１５で表示された新車であり、コンテンツＣ１５が表示された次に表示することがユーザにとっては最も効果的であるが、新車を製造する同メーカの他の車や、新車のターゲット層を意図した他社の新車等であってもよい。また、その順番についても広告コンテンツＡＤ１０の直後である必要はない。例えば、広告コンテンツＡＤ１０に動画情報が含まれている場合、端末装置１０が一度に受信するコンテンツの最後に広告コンテンツＡＤ１０を表示することでユーザはじっくりと動画情報を見ることが期待される。
【０１１８】
また、端末装置１０は、予め広告コンテンツを受信しておき、コンテンツに対して所定の評価が指定された場合にそのコンテンツに関連する広告コンテンツを表示するが、コンテンツに対して所定とは反対側の評価が指定された場合はそのコンテンツに関連する広告コンテンツを表示しなくてもよい。つまり、広告コンテンツの内容に関心の高いユーザにのみ広告コンテンツを提示することで高い広告効果が期待される。具体的には、端末装置１０は、コンテンツに対して好きすなわち関心が高いことを示す評価が指定された場合は、そのコンテンツに関連する広告コンテンツを表示してもよい。例えば、ユーザが映画の舞台挨拶に関するコンテンツに好きを示す評価を指定した場合、端末装置１０は、その映画に関する広告コンテンツを表示してもよい。また、端末装置１０は、コンテンツに対して嫌いすなわち関心が低いことを示す評価がされた場合は、そのコンテンツに関連する広告コンテンツを表示してもよい。例えば、ユーザが国際的なニュースに関するコンテンツや日本人の語学力に関するコンテンツに嫌いを示す評価を指定した場合、端末装置１０は、語学の習得に関する広告コンテンツを表示してもよい。このようなユーザは、語学の必要性は感じているが、嫌いと評価しているユーザである可能性がある。したがって、端末装置１０は、このようなユーザに対して広告コンテンツを提示することにより、高い広告効果が得られる可能性がある。つまり、端末装置１０は、ユーザが関心の低いと評価したコンテンツに関しても、高い広告効果が期待される広告コンテンツをユーザに提示することができる。このように、端末装置１０は、コンテンツの内容や広告コンテンツの内容に応じて、コンテンツに対して好きの評価が指定された場合に広告コンテンツを表示したり、コンテンツに対して嫌いの評価が指定された場合に広告コンテンツを表示したりすることができる。
【０１１９】
また、配信装置１００は、広告コンテンツの表示、非表示のログや、広告コンテンツに対する所定の評価のログを配信レポートとして広告主に提供してもよい。また、配信装置１００は、配信レポートにユーザの属性情報等とログとを対応させた情報を含んで広告主に提供してもよい。例えば、配信レポートには、どのタイミング（関連するコンテンツへの評価がされた直後など）で広告コンテンツを表示した場合に、その広告コンテンツに対して好きの評価の指定がされる確率が高いかに関する情報を含んでもよい。また、配信レポートには、好きの評価が指定されたコンテンツに関連する広告コンテンツに対して好きの評価の指定がされる確率や嫌いの評価が指定されたコンテンツに関連する広告コンテンツに対して好きの評価の指定がされる確率などを比較した情報を含んでもよい。これにより、配信レポートの提供を受けた広告主は、配信レポートを基により広告効果の高まる広告コンテンツを作成したりすることが可能となる。
【０１２０】
〔６−６．関心の低いコンテンツの配信〕
また、配信装置１００は、ユーザに対して、その時点で関心の低いとされる分類のコンテンツについてもそのユーザの端末装置１０へ配信してもよい。例えば、図７（ｃ）に示すコンテンツ要求画面Ａ１２において、その時点でユーザが関心の低い分類に関するコンテンツを提示してもよい。これにより、配信装置１００は、ユーザの新たな関心に関する情報が取得できる。すなわち、配信装置１００は、ユーザの関心の変化に関する情報を取得できる。
【０１２１】
〔７．装置構成〕
ここで、図２に示した配信装置１００は、コンテンツ記憶部１２１、属性情報記憶部１２２または位置情報記憶部１２３を有しなくてもよい。具体的には、配信装置１００は、コンテンツ記憶部１２１、属性情報記憶部１２２または位置情報記憶部１２３を保持するデータベースサーバと接続されてもよい。
【０１２２】
〔８．プログラム〕
また、上述してきた実施形態に係る配信装置１００は、例えば図１４に示すような構成のコンピュータ１０００によって実現される。図１４は、配信装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１２３】
ＣＰＵ１１００は、ＲＯＭ１３００又はＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１２４】
ＨＤＤ１４００は、ＣＰＵ１１００によって実行されるプログラム、及び、かかるプログラムによって使用されるデータ等を格納する。通信インターフェイス１５００は、通信網３０を介して他の機器からデータを受信してＣＰＵ１１００へ送り、ＣＰＵ１１００が生成したデータを他の機器へ通信網３０を介して送信する。
【０１２５】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１２６】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１２７】
例えば、コンピュータ１０００が実施形態に係る配信装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、コンテンツ記憶部１２１及び属性情報記憶部１２２内のデータが格納される。コンピュータ１０００のＣＰＵ１１００は、これらのプログラムを記録媒体１８００から読み取って実行するが、他の例として、他の装置から通信網３０を介してこれらのプログラムを取得してもよい。
【０１２８】
〔９．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１２９】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図２に示した受信部１３１と配信部１３３とは統合されてもよい。
【０１３０】
また、上述してきた各実施形態は、処理内容を矛盾させない範囲で適宜組み合わせることが可能である。
【０１３１】
〔１０．効果〕
上述してきたように、実施形態に係る配信装置１００は、決定部１３２と、配信部１３３とを備える。決定部１３２は、ユーザのユーザ情報に基づいて複数のコンテンツに関する順序を決定する。配信部１３３は、決定部１３２によって決定された順序で一つずつ表示される前記複数のコンテンツを前記ユーザの端末装置に配信する。
【０１３２】
これにより、実施形態に係る配信装置１００は、ユーザの満足度を高めることができる。
【０１３３】
また、実施形態に係る配信装置１００において、決定部１３２は、ユーザ情報に基づいて、所定のコンテンツ群から複数のコンテンツを抽出するとともに、当該複数のコンテンツに関する順序を決定する。
【０１３４】
これにより、実施形態に係る配信装置１００は、ユーザに対して適切なコンテンツを配信できるため、ユーザの満足度を高めることができる。
【０１３５】
また、実施形態に係る配信装置１００において、決定部１３２は、ユーザ情報として、前記ユーザの位置情報を用いる。
【０１３６】
これにより、実施形態に係る配信装置１００は、ユーザの位置情報及びその位置情報を取得した時間を取得することでユーザの時間帯別の親和性の高い土地を推定することができる。このような情報に基づいて土地及びその情報の親和性のある時間と関連のある複数のコンテンツを抽出し、その表示順を決定するため、ユーザの満足度をより高めることができる。
【０１３７】
また、実施形態に係る配信装置１００において、決定部１３２は、ユーザ情報として、ユーザの位置情報により推定されるユーザの生活圏に関する情報を用いる。
【０１３８】
これにより、実施形態に係る配信装置１００は、ユーザの推定される生活圏に関する情報に基づいて複数のコンテンツを抽出し、その表示順を決定するため、各ユーザの生活圏に応じてユーザがより関心を持つ可能性が高いコンテンツを配信することができ、ユーザの満足度をより高めることができる。また、配信装置１００は、ユーザの生活圏に関する情報である生活行動に基づいてユーザに配信するコンテンツを抽出し、その表示順を決定することにより、各ユーザの生活行動に応じてユーザがより関心を持つ可能性が高いコンテンツをそのユーザに対して配信することができる。これにより、配信装置１００は、ユーザの満足度を高めることができる。
【０１３９】
また、実施形態に係る配信装置１００において、決定部１３２は、ユーザ情報として、ユーザの属性情報を用いる。
【０１４０】
これにより、実施形態に係る配信装置１００は、ユーザの属性情報に基づいて複数のコンテンツを抽出し、その表示順を決定することにより、各ユーザの属性情報に応じてそのユーザが関心を持つ可能性の高いコンテンツを順番に配信できるため、ユーザの満足度をより高めることができる。
【０１４１】
また、実施形態に係る配信装置１００において、決定部１３２は、ユーザ情報として、ユーザのデモグラフィック属性に関する情報とユーザのサイコグラフィック属性に関する情報とのうち少なくとも１つを用いる。
【０１４２】
これにより、実施形態に係る配信装置１００は、ユーザのデモグラフィック属性やサイコグラフィック属性に関する情報に基づいて複数のコンテンツを抽出し、その表示順を決定することにより、各ユーザのデモグラフィック属性やサイコグラフィック属性に応じてそのユーザが関心を持つ可能性の高いコンテンツを順番に配信できるため、ユーザの満足度をより高めることができる。
【０１４３】
また、実施形態に係る配信装置１００において、配信部１３３は、各コンテンツに対するユーザの評価が指定可能な状態で表示される複数のコンテンツを端末装置１０に配信する。
【０１４４】
これにより、実施形態に係る配信装置１００は、各コンテンツに対するユーザの評価に関する情報を収集することで、例えば、そのユーザの評価が高いジャンルに関するコンテンツの順位を早くして配信することができる。つまり、ユーザは、自身の評価が高い、つまり関心が高いコンテンツから順番に閲覧することができる。したがって、配信装置１００は、ユーザの満足度をより高めることができる。
【０１４５】
また、実施形態に係る配信装置１００において、決定部１３２は、ユーザ情報として、各コンテンツに対するユーザの評価に基づいて、新たな複数のコンテンツに関する順序を決定する。配信部１３３は、決定部１３２によって決定された順序で表示される新たな複数のコンテンツをユーザの端末装置１０に配信する。
【０１４６】
これにより、実施形態に係る配信装置１００は、各コンテンツに対するユーザの評価に関する情報を収集し、その情報に基づいて複数のコンテンツの表示順を決定するため、そのユーザの評価が高いジャンルに関するコンテンツの順位を早くして配信することができる。つまり、ユーザは、自身の関心が高いコンテンツから順番に閲覧することができる。したがって、配信装置１００は、ユーザの満足度をより高めることができる。
【０１４７】
また、実施形態に係る配信装置１００において、決定部１３２は、各コンテンツが端末装置１０に表示されてから当該コンテンツに対する評価がユーザによって指定されるまでの時間に基づいて、新たな複数のコンテンツに関する順序を決定する。
【０１４８】
これにより、実施形態に係る配信装置１００は、各コンテンツに対するユーザの評価に要した時間を取得することができるため、例えば、ユーザが各コンテンツに対して即決で評価をしたのか、熟考して評価をしたのかを推定することができる。即決で評価をしたコンテンツは全く興味無い或いは詳細も見るまでもなく強く興味を持っているコンテンツと言える。また、熟考して評価をしたものは記事の内容が興味あるとも無いとも言い切れないものであるとの評価、或いは記事の属性自体には興味あるものの内容の是非について評価をしたコンテンツと言える。つまり、ユーザの評価に要した時間に基づいて複数のコンテンツの表示順を決定するため、ユーザの満足度をより高めることができる。
【０１４９】
また、実施形態に係る配信装置１００において、決定部１３２は、各コンテンツに対する評価が指定されたときの当該コンテンツにおける表示態様に基づいて、新たな複数のコンテンツに関する順序を決定する。
【０１５０】
これにより、実施形態に係る配信装置１００は、各コンテンツに対するユーザの評価を行った際のコンテンツの表示態様に関する情報を取得できるため、例えば、ユーザが各コンテンツに対してタイトルだけを見て評価をしたのか、本文の内容までを読んでから評価をしたのかについての情報が収集できる。例えば、配信装置１００は、タイトルだけで好きと評価したコンテンツよりも、本文の内容まで読んで好きと評価したコンテンツのほうが、ユーザの評価が高いと推定してもよい。これにより、配信装置１００は、各ユーザが関心を持つ可能性が高いコンテンツを決定する精度を高めることができ、ユーザの満足度をより高めることができる。
【０１５１】
また、実施形態に係る配信装置１００において、配信部１３３は、ユーザの操作により表示可能な範囲が段階的に変化するコンテンツを配信する。決定部１３２は、コンテンツに対する評価が指定されたときの当該コンテンツにおける表示可能な範囲に基づいて、新たな複数のコンテンツに関する順序を決定する。
【０１５２】
これにより、実施形態に係る配信装置１００は、各コンテンツに対するユーザの評価を行った際のコンテンツの表示可能な範囲に基づいて複数のコンテンツの表示順を決定するため、ユーザの満足度をより高めることができる。
【０１５３】
また、実施形態に係る配信装置１００において、配信部１３３は、提示したコンテンツに対して所定の評価が指定された場合、当該コンテンツに関連する広告コンテンツをユーザの端末装置１０に配信する。
【０１５４】
これにより、実施形態に係る配信装置１００は、所定の評価が指定されたコンテンツに関連する広告コンテンツを配信するため、ユーザの満足度を高めることができるとともにユーザに評価された直後に表示された広告は、ユーザに受け入れられやすくまた、興味を持たれやすいため、広告のランニングページへの遷移等、高い広告効果が期待される。
【０１５５】
また、実施形態に係る配信装置１００において、決定部１３２は、複数のコンテンツのうち、時間的な制限が現在日時に近い情報を含むコンテンツほど順序を早くする。
【０１５６】
これにより、実施形態に係る配信装置１００は、時間的な制限が現在日時に近い情報を含むコンテンツほど順序を早くする。そのため、ユーザは例えば電車の遅延情報やゲリラ豪雨の注意報などを他のコンテンツよりも優先して閲覧することができ、配信装置１００は、ユーザの満足度をより高めることができる。
【０１５７】
また、実施形態に係る配信装置１００において、決定部１３２は、各コンテンツの関係性に基づいて、複数のコンテンツに関する順序を決定する。
【０１５８】
これにより、実施形態に係る配信装置１００は、各コンテンツの関係性に基づいて、複数のコンテンツの表示順を決定するため、例えば、表示順に基づいて１つずつコンテンツを表示することによりコンテンツの表示にストーリ性を持たせることができる。例えば、配信装置１００は、コンテンツの関連性に基づいて表示順を決定することにより、ユーザに対して近い未来に行う行動に関する提案を行うことができる。具体的には、配信装置１００は、電車遅延に関するコンテンツを表示した次に、ユーザの現在地付近のカフェに関するコンテンツを表示することにより、そのユーザが近い未来に行う可能性のある行動に関するコンテンツをユーザに提示することができる。つまり、ユーザは、各コンテンツの関係性に基づいた表示順に基づいてコンテンツを閲覧することにより、その時点の自身の状態に適したコンテンツを順番に閲覧することができる。したがって、配信装置１００は、ユーザの満足度をより高めることができる。
【０１５９】
また、実施形態に係る配信装置１００において、決定部１３２は、所定のコンテンツの後に、当該所定のコンテンツに関連する関連コンテンツであってユーザの行動を促す関連コンテンツが表示されるよう複数のコンテンツに関する順序を決定する。
【０１６０】
これにより、実施形態に係る配信装置１００は、ユーザに対して次の行動を提案することができる。つまり、ユーザは、その時点の自身の状態に適した行動の提案を受けて、その行動を行うかどうかを決めることができる。このように、配信装置１００は、ユーザにコンテンツを配信するだけでなく、そのユーザの状況に適すると推定した行動をユーザに提案することにより、ユーザの満足度をより高めることができる。
【０１６１】
また、実施形態に係る端末装置１０は、受信部２１と、表示部２２とを有する。受信部２１は、ユーザのユーザ情報に基づいて所定の順序が決定される複数のコンテンツを受信する。また、表示部２２は、受信部２１によって受信された複数のコンテンツを前記所定の順序に従って一つずつ表示する。
【０１６２】
これにより、実施形態に係る端末装置１０は、受信した複数のコンテンツを所定の順序に従って一つずつ表示する。つまり、端末装置１０を所有するユーザは、自身で複数のコンテンツの中からどのコンテンツを閲覧するかを選ぶことなく、そのユーザの状況に適していると推定されるコンテンツを順番に閲覧することができる。このように、端末装置１０は、ユーザにコンテンツを選択するという面倒な作業を要求せずに１つのコンテンツを表示することにより、ユーザに対して適切なコンテンツを表示できる。
【０１６３】
以上、本願の実施形態のいくつかを図面に基づいて詳細に説明したが、これらは例示であり、発明の開示の行に記載の態様を始めとして、当業者の知識に基づいて種々の変形、改良を施した他の形態で本発明を実施することが可能である。
【０１６４】
また、上述してきた「部（section、module、unit）」は、「手段」や「回路」などに読み替えることができる。例えば、取得部は、取得手段や取得回路に読み替えることができる。
【符号の説明】
【０１６５】
１  配信システム
１０  端末装置
１２  検知部
１３  出力部
１４  ＧＰＳ
１５  行動記憶部
２０  アプリ制御部
２１  受信部
２２  表示部
２３  受付部
２４  送信部
１００  配信装置
１２１  コンテンツ記憶部
１２２  属性情報記憶部
１２３  位置情報記憶部
１３１  受信部
１３２  決定部
１３３  配信部
【図１】
0005955360.tif 000002
【図２】
0005955360.tif 000003
【図３】
0005955360.tif 000004
【図４】
0005955360.tif 000005
【図５】
0005955360.tif 000006
【図６】
0005955360.tif 000007
【図７】
0005955360.tif 000008
【図８】
0005955360.tif 000009
【図９】
0005955360.tif 000010
【図１０】
0005955360.tif 000011
【図１１】
0005955360.tif 000012
【図１２】
0005955360.tif 000013
【図１３】
0005955360.tif 000014
【図１４】
0005955360.tif 000015